(57)【特許請求の範囲】
【請求項１】
機種の異なる複数の調理機器に対して、前記調理機器を制御する情報を送信する送信装置であって、
複数の前記機種毎に対応付けられたそれぞれの制御情報を一まとめにした情報であるルールを生成するルール生成手段と、
前記ルール生成手段で生成したルールを送信する送信手段と
を備えたことを特徴とする送信装置。
【請求項２】
前記調理機器は機種により加熱能力が異なり、前記制御情報は、前記加熱能力に応じて異なることを特徴とする請求項１記載の送信装置。
【請求項３】
前記制御情報は、前記調理機器で用いる調理方法であることを特徴とする請求項１又は２に記載の送信装置。
【請求項４】
機種の異なる複数の調理機器を制御する情報を受信する受信装置であって、
複数の前記機種毎に対応付けられたそれぞれの制御情報を一まとめにした情報であるルールを受信する受信手段と、
前記受信手段で受信されたルールを記憶するルール記憶手段と、
前記ルール記憶手段で記憶されているルールから、制御すべき調理機器の機種に応じた制御情報を選択し、前記選択された制御情報に基づき当該調理機器を制御する制御手段と
を備えたことを特徴とする受信装置。
【請求項５】
機種の異なる複数の調理機器を制御する情報を受信する受信装置であって、
複数の前記機種毎に対応付けられたそれぞれの制御情報を一まとめにした情報であるルールを受信する受信手段と、
前記受信手段で受信されたルールを記憶するルール記憶手段と、
前記ルール記憶手段で記憶されているルールから、前記機種に応じた制御情報を選択し、前記選択された制御情報を外部記憶媒体に記憶する書き込み手段と
を備えたことを特徴とする受信装置。
【請求項６】
機種の異なる複数の調理機器を制御する情報を受信する受信装置であって、
複数の前記機種毎に対応付けられたそれぞれの制御情報を一まとめにした情報であるルールを受信する受信手段と、
前記受信手段で受信されたルールを記憶するルール記憶手段と、
前記ルール記憶手段で記憶されているルールから、前記機種に応じた制御情報を選択し、前記調理機器の記録媒体に対する前記選択された制御情報の書き込みを制御する書き込み制御手段と
を備えたことを特徴とする受信装置。
【請求項７】
前記受信装置が前記調理機器に接続されており、前記書き込み制御手段は、前記記憶されているルールから、接続されている前記調理機器の機種に応じた制御情報を選択することを特徴とする請求項６記載の受信装置。
【請求項８】
前記調理機器は機種により加熱能力が異なり、前記制御情報は、前記加熱能力に応じて異なることを特徴とする請求項４から７の何れかに記載の受信装置。
【請求項９】
前記制御情報は、前記調理機器で用いる調理方法であることを特徴とする請求項４から８の何れかに記載の受信装置。
【発明の詳細な説明】
【０００１】
【発明の属する技術分野】
本発明は、例えば制御情報の送信に利用可能な、送信装置、及び受信装置に関する。
【０００２】
【従来の技術】
近年、コンビニエンスストアーが急増しており、豊富なメニューの中から、その場で、電子レンジで暖めたり、空揚げを作ったりという様な簡単な調理をして販売するというサービスを提供している。
【０００３】
この様な状況下で、フランチャイズ制のコンビニエンスストアー等では、調理方法の画一化による商品品質の均一化と、調理作業の効率化をはかるため、センターの管理下にあるサーバから、各店の端末装置に対して、各メニューについての調理方法を情報として送る方法が考えられている。即ち、カレーライス弁当であれば、８００Ｗ調理用レンジで４５秒間暖めるとか、あるいは、フライドポテトであれば、８００Ｗ調理用レンジで２０秒間暖めるという様な調理方法である。この様な調理方法の情報は、一旦端末で受信して、メモリに蓄えられる。コンビニエンスストアーの従業者は、必要に応じてこの調理情報をプリントアウトして利用するものである。
【０００４】
これらの情報の提供の手段としては、インターネットのＷＷＷ情報の利用も考えられている。即ち、インターネットのＷＷＷ情報においては、コンテンツを保有するサーバに対して、ネットワークに接続されている情報端末においてブラウザーソフトがあれば、各情報端末において簡単にコンテンツを閲覧することができる。従って、国内にとどまらず、世界的な規模のチェーン店でもこのような情報の提供が簡単に出来る。
【０００５】
【発明が解決しようとする課題】
しかし、上記の様な調理方法の提供においては、例えば、各店に設けられている調理用電子レンジは、その店の規模などによって、調理機能や能力の異なる場合があり、サーバから送られてくる調理方法をそのまま使用できない場合もある。即ち、５００Ｗの調理用レンジしか備えていない店では、上記の様に、カレーライス弁当であれば、８００Ｗ調理用レンジで４５秒間暖めるという情報を基にして、５００Ｗ調理用レンジでは、１分暖めるという様に適当に変更して使用しなければならない。商品の移り変わりが激しく、商品の種類も豊富になると、この様な変更作業は従業員への負担となり、又、各店によって商品品質（即ち、制御結果としての食品の味等の品質）がばらつくという課題が考えられる。即ち、従来までのネットワークに接続されている情報機器間のやりとりは、送信側の端末において作成したコンテンツを、受信側の端末において閲覧するだけであり、端末に応じて変更しなければならない制御情報等を通信することはない。そのため、受信側のハードウエア環境や状況に応じて実行する内容や情報を変更することができない。よって、ハードウエア環境や制御対象に応じて、上記制御情報を変更しなければならない場合には、上記のような欠点が生じてしまう。
【０００６】
本発明は、このような従来の課題を考慮し、情報受信端末側での受信情報の変更の負担を軽減することが出来き、又、制御結果のばらつきを低減出来るデータ送信装置、データ受信装置、ルール通信装置およびルール通信方法を提供することを目的とする。
【０００７】
【課題を解決するための手段】
第１の本発明は、機種の異なる複数の調理機器に対して、前記調理機器を制御する情報を送信する送信装置であって、
複数の前記機種毎に対応付けられたそれぞれの制御情報を一まとめにした情報であるルールを生成するルール生成手段と、
前記ルール生成手段で生成したルールを送信する送信手段とを備えた送信装置である。
【０００８】
又、第２の本発明は、前記調理機器は機種により加熱能力が異なり、前記制御情報は、前記加熱能力に応じて異なる上記第１の本発明の送信装置。
【０００９】
又、第３の本発明は、前記制御情報は、前記調理機器で用いる調理方法である上記第１又は第２の本発明の送信装置である。
【００１０】
又、第４の本発明は、機種の異なる複数の調理機器を制御する情報を受信する受信装置であって、
複数の前記機種毎に対応付けられたそれぞれの制御情報を一まとめにした情報であるルールを受信する受信手段と、
前記受信手段で受信されたルールを記憶するルール記憶手段と、
前記ルール記憶手段で記憶されているルールから、制御すべき調理機器の機種に応じた制御情報を選択し、前記選択された制御情報に基づき当該調理機器を制御する制御手段とを備えた受信装置である。
【００１１】
又、第５の本発明は、機種の異なる複数の調理機器を制御する情報を受信する受信装置であって、
複数の前記機種毎に対応付けられたそれぞれの制御情報を一まとめにした情報であるルールを受信する受信手段と、
前記受信手段で受信されたルールを記憶するルール記憶手段と、
前記ルール記憶手段で記憶されているルールから、前記機種に応じた制御情報を選択し、前記選択された制御情報を外部記憶媒体に記憶する書き込み手段とを備えた受信装置である。
【００１２】
又、第６の本発明は、機種の異なる複数の調理機器を制御する情報を受信する受信装置であって、
複数の前記機種毎に対応付けられたそれぞれの制御情報を一まとめにした情報であるルールを受信する受信手段と、
前記受信手段で受信されたルールを記憶するルール記憶手段と、
前記ルール記憶手段で記憶されているルールから、前記機種に応じた制御情報を選択し、前記調理機器の記録媒体に対する前記選択された制御情報の書き込みを制御する書き込み制御手段とを備えた受信装置である。
【００１３】
又、第７の本発明は、前記受信装置が前記調理機器に接続されており、前記書き込み制御手段は、前記記憶されているルールから、接続されている前記調理機器の機種に応じた制御情報を選択する上記第６の本発明の受信装置である。
【００１４】
又、第８の本発明は、前記調理機器は機種により加熱能力が異なり、前記制御情報は、前記加熱能力に応じて異なる上記第４から第７の何れかの本発明の受信装置である。
【００１５】
又、第９の本発明は、前記制御情報は、前記調理機器で用いる調理方法である上記第４から第８の何れかの本発明の受信装置である。
【００１８】
これにより、例えば、データ受信装置では、制御対象装置に対応した制御情報を選択出来る。
【００１９】
【発明の実施の形態】
以下、本発明の実施の形態について、図を用いて説明する。
（実施の形態１）
図１は、本発明にかかる一実施の形態のルール通信装置のシステム構成図であり、同図を用いて、本実施の形態について説明する。
【００２０】
まず、本実施の形態の概要を述べる。
【００２１】
送信側から、複数の受信端末からなる受信側に対して、制御情報を通信する場合、受信側の各端末に備えられている各制御機能に応じた制御情報を送信しないと、各受信端末では、その受信した制御情報をそのまま利用することができないことは既に述べた通りである。
【００２２】
例えば、コンビニエンスストアやファミリーレストランにおいて、新たな冷凍食品が開発された場合に、その冷凍食品を解凍し、調理するのに使用される電子レンジに対する制御情報は、利用する電子レンジによって、その制御情報が異なる。具体的には、５００Ｗ用の電子レンジと８００Ｗ用の電子レンジでは、同一の食品を料理する場合でも、制御情報が異なる。更には、スチーム機能がついた電子レンジについては、スチームの制御情報を考慮した制御情報までが必要となる。電子レンジの機能に関しては、各店毎に異なる場合もあるが、同一店内であっても、複数種類の電子レンジを備えていることが多い。そのため、本実施の形態では、送信側のサーバから全店に、各機種に応じた制御情報を複数種類送信するものである。この場合、各制御情報には、どの種類の電子レンジ用の情報であるかを識別するための識別情報が、ＩＦ文の形で記されている（図４では、符号４００１ａ，４００１ｂを付した）。
【００２３】
即ち、各機種に応じた制御情報を、ＩＦ・Ｔｈｅｎ形式のルールで表現してあるので、受信側においては、送信されてきた制御情報から、ＩＦ文を参照することにより必要な制御情報のみを選択出来る。
【００２４】
これにより、各機種に応じた制御情報により調理することが可能となる。
【００２５】
次に、図１を参照しながら、本実施の形態の構成について述べる。
【００２６】
図１において、１０１はルールを生成するルール生成手段、１０２はルール生成手段１０１で生成されたルールをデータに変換して送信するデータ送信手段である。これらにより送信装置１５１が構成されている。又、１０３はデータ送信手段１０２で送信されたデータを受信するデータ受信手段、１０４はデータ受信手段１０３で受信したデータをルールに変換するルール変換手段、１０５はルール変換手段１０４で変換されたルールを記憶するルール記憶手段、１０６はルール記憶手段１０５で記憶されているルールによって、電子レンジなどの制御対象装置（図示省略）を制御する制御手段である。これらにより、受信装置１５２が構成されている。本実施の形態のルール通信装置は、上記送信装置１５１及び受信装置１５２から構成されている。ここで、本発明のデータ送信装置は、送信装置１５１に対応し、又、本発明のデータ受信装置は、受信装置１５２に対応する。又、制御手段１０６は、本発明のルール選定手段を含む手段である。
【００２７】
次に、以上のように構成されたシステムが実行されるハードウエア構成を図２に示す。
【００２８】
図２は、基本的に通信を行う汎用の計算機システムの構成と同じであり、図１で示したシステム構成部分として説明した、ルール記憶手段１０５、制御手段１０６を備えている。図２の構成のうち、図１のシステム構成と同じ部分に関しては、同一番号を付与し説明を省略する。図２において、２０１は処理のプログラムやデータを実行時に記憶する主記憶装置、２０２はプログラムやデータを蓄積しておく外部記憶装置、２０３は外部記憶装置２０２に記憶されているプログラムを主記憶装置２０１に転送し実行するＣＰＵ、２０４は外部のネットワークと接続することができるモデム、２０５は制御手段１０６により制御対象装置（これを単に、機器あるいは、制御機器と呼ぶこともある）を制御する制御装置である。
【００２９】
以上のように構成されたルール通信装置の動作を図３のフローチャートに沿って説明すると共に、本発明のルール通信方法の一実施の形態についても併せて述べる。
（ステップＡ１）
ルール生成手段１０１において、送信者側でルールを編集する。例えば、調理装置を制御するためのルールとして、図４に示すルールを作成・編集したとする。
（ステップＡ２）
データ送信手段１０２において、ルール生成手段１０１で作成されたルールを受信側で解釈できる形式に編集しなおし送信する。例えば、（ステップＡ１）で作成された図４のルールを図５に示すテキスト形式のデータに変換する。
（ステップＡ３）
データ受信手段１０３において、（ステップＡ２）で送信されたテキスト形式の内容をデータ受信側において受信する。本例では、図５のテキストの内容が受信される。
（ステップＡ４）
ルール変換手段１０４において、（ステップＡ３）で受信した内容をルールに変換する。ここでは、送信側のルール生成手段１０１において生成された図４のルールに変換される。
（ステップＡ５）
（ステップＡ４）で変換されたルールから１つのルールを選択し、ルール記憶手段１０５に入力し記憶させる。
（ステップＡ６）
記憶させるルールが最後のルールでない場合には、（ステップＡ５）に戻る。それ以外は、次のステップへすすむ。この結果、図４のルールがルール記憶手段１０５で記憶される。
（ステップＡ７）
制御手段１０６で制御対象装置を制御する場合に、ルール記憶手段１０５で記憶されているルールを参照しながら、その制御対象装置の制御を行う。
【００３０】
例えば、制御対象となる装置が８００Ｗの電子レンジであり、使用者により「ハンバーグ」の食材の調理方法として、あたため調理が選択された場合について述べる。
【００３１】
即ち、この場合、制御手段１０６が、ルール記憶手段１０５に記憶されている図４に示す複数種類の調理方法（ルールに対応）の中から、ＩＦ文の部分を読み出して、８００Ｗ用電子レンジに対応する調理方法のみの探す。そして、その中から、更に「ハンバーグ」の調理方法を選び出す。ここでは、図４に示す通り、「あたため  ３０秒  ５００Ｗ  焼く  １００秒  ８００Ｗ」が選び出されて、電子レンジやオーブン等の制御対象装置を制御する。
【００３２】
以上のアルゴリズムを動作させた結果、調理する食材や対象に応じて制御対象装置の制御を変更することができる。さらに、変更する制御内容を遠隔地にいる送信者側で設定することができる。これにより、制御装置がある場所に行かなくても制御対象装置の制御内容を対象に応じて変更することができる。
【００３３】
又、上記実施の形態では、識別情報としてＩＦ文を用いる場合について述べたが、これに限らず例えば、ＩＦ文の代わりに、単に、各制御対象装置に応じた識別番号を付しても良い。
【００３４】
尚、制御手段１０６は、上述の様に制御対象装置の外部にあっても良いし、あるいは、制御対象装置に内蔵されていても良い。
（実施の形態２）
図６は、本発明にかかる一実施の形態のルール通信装置のシステム構成図であり、同図を用いて、本実施の形態について説明する。図６において、６０１はルールを生成するルール生成手段、６０２はルール生成手段６０１で生成されたルールをＤＴＭＦに変換して送信するＤＴＭＦ送信手段である。これらにより送信装置６５１が構成されている。又、６０３はＤＴＭＦ送信手段６０２で送信されたＤＴＭＦ信号を受信するＤＴＭＦ受信手段、６０４はデータ受信手段６０３で受信したデータをルールに変換するルール変換手段、６０５はルール変換手段６０４で変換されたルールを記憶するルール記憶手段、６０６はルール記憶手段６０５で記憶されているルールによって制御する制御手段である。これらにより受信装置６５２が構成されている。
【００３５】
尚、本実施の形態と実施の形態１との主な違いは、送信されるルールがＤＴＭＦ信号に変換されている点である。
【００３６】
以上のように構成されたシステムが実行されるハードウエア構成を図７に示す。図７は、通信を行う汎用の計算機システムの構成と基本的に同じであり、図６で示したシステム構成部分として説明した、ルール記憶手段６０５、制御手段６０６を備えている。図７の構成のうち、図６のシステム構成と同じ部分に関しては、同一番号を付与し説明を省略する。図７において、７０１は処理のプログラムやデータを実行時に記憶する主記憶装置、７０２はプログラムやデータを蓄積しておく外部記憶装置、７０３は外部記憶装置７０２に記憶されているプログラムを主記憶装置７０１に転送し実行するＣＰＵ、７０４は外部のネットワークと接続することができるモデム、７０５は制御手段６０６により機器を制御する制御装置である。
【００３７】
以上のように構成されたルール通信装置の動作を図８のフローチャートに沿って説明すると共に、本発明のルール通信方法の一実施の形態についても併せて述べる。
（ステップＢ１）
（ステップＡ１）と同様の処理を行う。
（ステップＢ２）
ＤＴＭＦ送信手段６０２において、ルール生成手段６０１において作成されたルールを受信側で解釈できる形式に編集しなおし送信する。例えば、（ステップＢ１）で作成された図４のルールを、ルールとＤＴＭＦの対応を示す図９のテーブルを参照し変換する。「３０秒」「５００Ｗ」は「＊０３０」「＊５００」のＤＴＭＦ信号にそれぞれ変換する。その結果、図１０のＤＴＭＦ信号に変換される。変換された内容をＤＴＭＦ信号で送信する。
（ステップＢ３）
ＤＴＭＦ受信手段６０３において、（ステップＢ２）で送信されたＤＴＭＦ信号の内容をデータ受信側において受信する。本例では、図１０のＤＴＭＦ信号が受信される。
（ステップＢ４）
ルール変換手段６０４において、（ステップＢ３）で受信した内容をルールに変換する。ここでは、図９に示した送信側で利用するテーブルを受信側でもあらかじめ保有し、そのテーブルを用いて図４のルールに変換される。
【００３８】
（ステップＢ５）から（ステップＢ７）は、（ステップＡ５）から（ステップＡ７）と同様の処理を行う。
【００３９】
以上のアルゴリズムを動作させた結果、調理する食材や対象に応じて機器の制御を変更することができる。さらに、変更する制御内容を遠隔地にいる送信者側で設定することができる。また、ＤＴＭＦ信号を利用しているため、一般に利用されているプッシュ回線の電話機から機器の制御の内容を変更することができる。これにより、制御装置がある場所に行かなくても機器の制御内容を対象に応じて変更することができる。
（実施の形態３）
図１１は、本発明にかかる一実施の形態のルール通信装置のシステム構成図であり、同図を用いて、本実施の形態について説明する。
【００４０】
図１１において、１１０１はルールを生成するルール生成手段、１１０２はルール生成手段１１０１で生成されたルールをデータに変換して送信するデータ送信手段である。これらにより送信装置１１５１が構成されている。又、１１０３はデータ送信手段１１０２で送信されたデータを受信するデータ受信手段、１１０４はデータ受信手段１１０３で受信したデータをルールに変換するルール変換手段、１１０５はルール変換手段１１０４で変換されたルールを記憶するルール記憶手段、１１０７はデータを記憶するＩＣカードなどのデータ記憶手段、１１０６はルール記憶手段１１０５で記憶されているルールに基づいてデータ記憶手段１１０７にデータを書き込むデータ書き込み手段である。これらにより受信装置１１５２が構成されている。尚、本発明のルール選定手段は、データ書き込み手段１１０６を含む制御装置１２０５に対応する手段である。
【００４１】
ここで、本実施の形態の概要を述べる。
【００４２】
本実施の形態は、上述した実施の形態１の変形例である。即ち、実施の形態１では、制御装置２０５（制御手段１０６を内蔵）が、各制御対象装置と直接的に接続されていた。しかし、送信装置側からのデータを受信するための電話回線などの回線端子と、各制御対象装置との設置場所が物理的に離れているために、直接接続が困難な場合がある。本実施の形態は、この様な場合に対応させたものである。
【００４３】
電子レンジ等の制御機器においては、ＩＣカード等の取り外しが可能な記憶媒体に、制御内容を記憶させ、その記憶媒体を制御機器に接続することにより制御を行うことがある。そこで、本実施の形態では、ＩＣカードなどの記憶媒体（データ記憶手段１１０７）に、送信装置側から送られてきた制御情報を記憶させるための装置（データ書き込み手段１１０６）を提供することにより、制御機器に応じた制御情報を送受信する装置を実現するものである。
【００４４】
本実施の形態においては、データ書き込み手段１１０６を利用して、ルール記憶手段１１０５と、制御情報を記憶するＩＣカード等のデータ記憶手段１１０７とを接続するものである。データ書き込み手段１１０６により、ＩＣカードには、そのＩＣカードが利用出来る機器に関する情報のみが、ルール記憶手段１１０５の複数種類の情報から、上記実施の形態１と同様にＩＦ文を利用して選択されて、記憶される。そして、このＩＣカード（データ記憶手段の媒体）を、対応する制御対象装置に接続することにより、各制御対象装置に応じた制御が実行できる。
【００４５】
以上のように構成されたシステムが実行されるハードウエア構成を図１２に示す。図１２は、通信を行う汎用の計算機システムの構成と基本的に同じであり、図１１で示したシステム構成部分として説明した、ルール記憶手段１１０５、データ書き込み手段１１０６を備えている。図１２の構成のうち、図１１のシステム構成と同じ部分に関しては、同一番号を付与し説明を省略する。図１２において、１２０１は処理のプログラムやデータを実行時に記憶する主記憶装置、１２０２はプログラムやデータを蓄積しておく外部記憶装置、１２０３は外部記憶装置１２０２に記憶されているプログラムを主記憶装置１２０１に転送し実行するＣＰＵ、１２０４は外部のネットワークと接続することができるモデム、１２０５はデータ書き込み手段１１０６によりデータを書き込みを制御する制御装置である。
【００４６】
以上のように構成されたルール通信装置の動作を図１３のフローチャートに沿って説明すると共に、本発明のルール通信方法の一実施の形態についても併せて述べる。
（ステップＣ１）
ルール生成手段１１０１において、送信者側でルールを編集する。例えば、データの書き込む内容に関するルールとして、図１４に示すルールを作成・編集したとする。
（ステップＣ２）
データ送信手段１１０２において、ルール生成手段１１０１で作成されたルールを受信側で解釈できる形式に編集しなおし送信する。
（ステップＣ３）
データ受信手段１１０３において、（ステップＣ２）で送信されたテキスト形式の内容をデータ受信側において受信する。
（ステップＣ４）
ルール変換手段１１０４において、（ステップＣ３）で受信した内容をルールに変換する。ここでは、送信側のルール生成手段１１０１において生成された図１４のルールに変換される。
（ステップＣ５）
（ステップＣ４）で変換されたルールから１つのルールを選択し、ルール記憶手段１１０５に入力し記憶させる。
（ステップＣ６）
記憶させるルールが最後のルールでない場合には、（ステップＣ５）に戻る。それ以外は、次のステップへすすむ。
（ステップＣ７）
例えば、機器の制御情報が記憶されているＩＣカード（データ記憶手段１１０７に対応）が、データ書き込み手段１１０６に挿入された場合に、ルール記憶手段１１０５で記憶されているルールに基づいて、データをカードに書き込む。このとき、機器制御用の各ＩＣカードに制御する機器に応じてＴＹＰＥ１、ＴＹＰＥ２等の情報がＩＣカードに記憶されていると、そのＴＹＰＥに応じてカードに書き込まれる内容を選択することができる。すなわち、制御される機器に応じて制御情報を選択することができる。
【００４７】
以上のアルゴリズムを動作させた結果、ＩＣカード等の外部記憶媒体を用いて機器を制御する場合に、カードのタイプに応じてデータの書き込み内容を記述することができるため、ＩＣカード等の外部記憶媒体で機器を制御しなければいけないユーザでも、カードのタイプを意識することなく本装置が自動判別してデータを書き込ませることができる。
【００４８】
なお、本実施の形態では、データ送信手段とデータ受信手段を用いてデータの送受信を行ったが、各手段をＤＴＭＦ送信手段とＤＴＭＦ受信手段に変更し、ＤＴＭＦ信号により情報の送受信を行ってもよい。
（実施の形態４）
図１５は、本発明にかかる一実施の形態のルール通信装置のシステム構成図であり、同図を用いて、本実施の形態について説明する。
【００４９】
まず、本実施の形態の概要を述べる。
【００５０】
本実施の形態は、上述した実施の形態１の変形例である。即ち、送信側から受信側に対して、制御情報を通信する場合、過去に送信した内容と類似した内容を送信することがある。この場合、過去に送信した制御情報を受信側で記憶しておくことにより、送信する制御情報を削減し、通信コストを軽減することが出来る。そこで、本実施の形態は、このような場合に対応させたものである。
【００５１】
次に、図１５を参照しながら、本実施の形態の構成を述べる。
【００５２】
図１５において、１５０１はルールを生成するルール生成手段、１５０２はルールの実行内容を生成する実行内容生成手段、１５０３はルールと実行内容をデータに変換して送信するデータ送信手段である。これらにより送信装置１５５１が構成されている。又、１５０４はデータ送信手段１５０３で送信されたデータを受信するデータ受信手段、１５０５はデータ受信手段１５０３で受信したデータをルールと実行内容に変換するルール・実行内容変換手段、１５０６はルール・実行内容変換手段１５０５で変換されたルールを記憶するルール記憶手段、１５０７はルール・実行内容変換手段１５０５で変換された実行内容を記憶する実行内容記憶手段、１５０８はルール記憶手段１５０６で記憶されているルールと実行内容記憶手段１５０７で記憶されている実行内容を用いて制御する制御手段である。これらにより受信装置１５５２が構成されている。
【００５３】
以上のように構成されたシステムが実行されるハードウエア構成を図１６に示す。図１６は、通信を行う汎用の計算機システムの構成と基本的に同じであり、図１５で示したシステム構成部分として説明した、ルール記憶手段１５０６、実行内容記憶手段１５０７、制御手段１５０８を備えている。図１６の構成のうち、図１５のシステム構成と同じ部分に関しては、同一番号を付与し説明を省略する。図１６において、１６０１は処理のプログラムやデータを実行時に記憶する主記憶装置、１６０２はプログラムやデータを蓄積しておく外部記憶装置、１６０３は外部記憶装置１６０２に記憶されているプログラムを主記憶装置１６０１に転送し実行するＣＰＵ、１６０４は外部のネットワークと接続することができるモデム、１６０５は制御手段１５０７により機器を制御する制御装置である。
【００５４】
以上のように構成されたルール通信装置の動作を図１７のフローチャートに沿って説明すると共に、本発明のルール通信方法の一実施の形態についても併せて述べる。
（ステップＤ１）
ルール生成手段１５０１と実行内容生成手段１５０２において、送信者側でルールと実行内容をそれぞれ編集する。例えば、調理装置を制御するためのルールとして、図１８に示すルールとその実行内容を作成・編集したとする。図１８では、「フライドポテト」の調理方法に関するルール１８０１と、その調理方法の実行内容１８０２を示している。
（ステップＤ２）
データ送信手段１５０３において、ルール生成手段１５０１で生成されたルールと実行内容生成手段１５０２で生成された実行内容を受信側で解釈できる形式に編集しなおし送信する。
（ステップＤ３）
データ受信手段１５０４において、（ステップＤ２）で送信された内容をデータ受信側において受信する。
（ステップＤ４）
ルール・実行内容変換手段１５０５において、（ステップＤ３）で受信した内容をルールと実行内容に変換する。ここでは、送信側において生成された図１８のルールと実行内容に変換される。
（ステップＤ５）
（ステップＤ４）で変換されたルールから１つのルールを選択し、ルール記憶手段１５０６に入力し記憶させる。
（ステップＤ６）
記憶させるルールが最後のルールでない場合には、（ステップＤ５）に戻る。それ以外は、次のステップへすすむ。
（ステップＤ７）
（ステップＤ４）で変換された実行内容から１つの実行内容を選択し、実行内容記憶手段１５０７に入力し記憶させる。
（ステップＤ８）
記憶させる実行内容が最後の実行内容でない場合には、（ステップＤ７）に戻る。それ以外は、次のステップへすすむ。
（ステップＤ９）
制御手段１５０８で機器を制御する場合に、ルール記憶手段１５０６と実行内容記憶手段１５０７で記憶されているルール（図１８では、符号１８０１を付した）と実行内容（図１８では、符号１８０２を付した）を参照しながら機器の制御を行う。これにより、調理する対象に応じて調理機器を制御することができる。さらに、機器制御情報の送信者は、次回以降「フライドポテト」と同じ調理方法（ｎｏｒｍａｌ＃ｈｅａｔｕｐ）の手順を指定する場合には、すでに受信側の実行内容記憶手段において、「ｎｏｒｍａｌ＃ｈｅａｔｕｐ」についての具体的な実行動作内容を記憶しているため、ルールとしての「ｎｏｒｍａｌ＃ｈｅａｔｕｐ」だけを指定すればよい。
【００５５】
以上のアルゴリズムを動作させた結果、調理する食材や対象に応じて機器の制御を変更することができる。さらに、変更する制御内容を遠隔地にいる送信者側で設定することができる。これにより、制御装置がある場所に行かなくても機器の制御内容を対象に応じて変更することができる。さらに、複雑な制御動作に関しては、以前に送信した制御内容を利用することができるため、同じ制御内容を再度送信する必要がないため、データ送受信のコストを削減できる。
【００５６】
なお、本実施の形態では、データ送信手段とデータ受信手段を用いてデータの送受信を行ったが、各手段をＤＴＭＦ送信手段とＤＴＭＦ受信手段に変更し、ＤＴＭＦ信号により情報の送受信を行ってもよい。
（実施の形態５）
図１９は、本発明にかかる一実施の形態のルール通信装置のシステム構成図であり、同図を用いて、本実施の形態について説明する。図１９において、１９０１はルールの編集内容を生成するルール編集内容生成手段、１９０２はルール編集内容生成手段１９０１で生成されたルールの編集内容をデータに変換して送信するデータ送信手段である。これらにより送信装置１９５１が構成されている。又、１９０３はデータ送信手段１９０２で送信されたデータを受信するデータ受信手段、１９０４はデータ受信手段１９０３で受信したデータをルールの編集内容に変換するルール編集内容変換手段、１９０５はルール編集内容変換手段１９０４で変換されたルールの編集内容を記憶するルール編集内容記憶手段、１９０７はルールを記憶するルール記憶手段、１９０６はルール編集内容記憶手段１９０５で記憶されているルールの編集内容に基づいてルール記憶手段１９０７で記憶されているルールを編集するルール編集手段である。これらにより受信装置１９５２が構成されている。
【００５７】
尚、本実施の形態では、上記実施の形態１で述べた、ルール記憶手段に蓄積されている調理方法を更新する場合の例である。
【００５８】
以上のように構成されたシステムが実行されるハードウエア構成を図２０に示す。図２０は、通信を行う汎用の計算機システムの構成と基本的に同じであり、図１９で示したシステム構成部分として説明した、編集内容記憶手段１９０５、ルール記憶手段１９０７を備えている。図２０の構成のうち、図１９のシステム構成と同じ部分に関しては、同一番号を付与し説明を省略する。図２０において、２００１は処理のプログラムやデータを実行時に記憶する主記憶装置、２００２はプログラムやデータを蓄積しておく外部記憶装置、２００３は外部記憶装置２００２に記憶されているプログラムを主記憶装置２００１に転送し実行するＣＰＵ、２００４は外部のネットワークと接続することができるモデムである。
【００５９】
以上のように構成されたルール通信装置の動作を図２１のフローチャートに沿って説明すると共に、本発明のルール通信方法の一実施の形態についても併せて述べる。
（ステップＥ１）
ルール編集内容生成手段１９０１において、送信者側でルールの編集内容を編集する。例えば、調理装置を制御するためのルールの編集内容として、図２２に示すルールを作成したとする。図２２に示す内容は、データ受信側の制御装置において、従来まで３０秒５００Ｗの強さで調理していたものを、調理時間を５秒間短縮し２５秒５００Ｗで、さらにスチームを入れて調理するように変更することを意味している。
（ステップＥ２）
データ送信手段１９０２において、ルール編集内容生成手段１９０１で作成されたルールを受信側で解釈できる形式に編集しなおし送信する。
（ステップＥ３）
データ受信手段１９０３において、（ステップＥ２）で送信された内容をデータ受信側において受信する。
（ステップＥ４）
ルール編集内容変換手段１９０４において、（ステップＥ３）で受信した内容をルールに変換する。ここでは、送信側のルール編集内容生成手段１９０１において生成された図２２の内容に変換される。
（ステップＥ５）
（ステップＥ４）で変換されたルール編集内容を編集内容記憶手段１９０５に入力し記憶させる。
（ステップＥ６）
ルール記憶手段１９０７で記憶されている機器を制御するためのルールの内容を編集内容記憶手段１９０５の内容に基づいて修正する。例えば、図４の内容の調理方法の制御ルールがルール記憶手段１９０７に記憶されていた場合、図２２の編集内容により、図２３の調理方法の制御ルールに変更される。
【００６０】
以上のアルゴリズムを動作させた結果、調理する食材や対象に応じて機器の制御を変更することができる。さらに、変更する制御内容を遠隔地にいる送信者側で設定することができる。これにより、制御装置がある場所に行かなくても機器の制御内容を対象に応じて変更することができる。さらに、受信側の機器に記憶されているルールの変更部分のみを送信側で修正することができる。これにより、間違った制御内容を送信した場合にも、送信側で簡単に修正することができる。
【００６１】
なお、本実施の形態では、データ送信手段とデータ受信手段を用いてデータの送受信を行ったが、各手段をＤＴＭＦ送信手段とＤＴＭＦ受信手段に変更し、ＤＴＭＦ信号により情報の送受信を行ってもよい。
【００６２】
なお、本実施の形態では、電子レンジ、オーブン等の調理機器に関して述べたが、炊飯器等のその他の調理機器や冷暖房用の空調機器や洗濯機や掃除機などの機器やテレビの画質調整等の機器によって制御内容の異なる制御機器ならば、どのような制御機器でもよい。
【００６３】
なお、本実施の形態では、情報を受信する装置はモデム等によりネットワークに接続された機器で説明したが、放送等のメディアを用いてルール形式の情報を送信し、チューナーを用いてそのルール形式の情報を受信してもよい。
【００６４】
なお、本実施の形態では、食材に応じて変更するルールの送受信に関して述べたが、時間や季節に応じて調理内容を変更するルールの送受信を用いてもよい。
【００６５】
なお、本実施の形態では、データを送受信する機器において電話回線に接続されたモデムに関して述べたが、インターネット等の専用回線やＬＡＮによる回線を用いてもよい。
（実施の形態６）
まず、本実施の形態の概要を述べる。
【００６６】
従来、多数利用されている制御機器の使用状況等の情報を遠隔地にあるサーバで集中的に管理することを目的としたシステムが開発されている。
【００６７】
例えば、上記コンビニエンスストアやファミリーレストランに設置されている業務用電子レンジの使用回数の情報をネットワークを介して自動的にサーバに連絡するシステムがある。これにより、各機器の使用状況をサーバで集中管理する事が出来る。これらのシステムでは、予め上記業務用電子レンジに、毎日または、利用される度に、使用回数をサーバに連絡するルールがプログラミングされており、そのルールに応じてサーバに情報を伝達する仕組みとなっている。しかし、このルールは、業務用電子レンジのＲＯＭ等の書き込み不可能な部分に記憶されているため、一度決定したルールを更新することが出来ない。又、設置場所を変更した際に、そのルールを変更するためには、ＲＯＭ等を交換しなければならない。
【００６８】
そこで、本実施の形態では、ルールをネットワークを介して通信するものであり、各制御対象機器が利用される状況に応じて、ルールを更新したり、変更したり出来る場合について述べる。これにより、各制御対象機器が利用される状況を考慮したルールを設定することが出来る。このような制御対象機器としては、例えば、上述したコンビニストアやファミリーレストランに設置されている複写機を対象としてもよい。
【００６９】
次に、本実施の形態について具体的に述べる。即ち、図２４は、本発明にかかる一実施の形態のルール通信装置のシステム構成図であり、同図を用いて、本実施の形態について説明する。
【００７０】
図２４において、２４０１はルールを生成するルール生成手段、２４０２はルール生成手段２４０１で生成されたルールをデータに変換して送信するデータ送信手段である。これらにより送信装置２４５１が構成されている。又、２４０３はデータ送信手段２４０２で送信されたデータを受信するデータ受信手段、２４０４はデータ受信手段２４０３で受信したデータをルールに変換するルール変換手段、２４０５はルール変換手段２４０４で変換されたルールを記憶するルール記憶手段、２４０６は機器を制御する制御手段、２４０７は制御手段２４０６で制御された内容を記憶する制御内容記憶手段、２４０８はルール記憶手段２４０５で記憶されているルールと制御内容記憶手段２４０７で記憶されている制御内容に応じてルールを実行するルール実行手段である。これらにより受信装置２４５２が構成されている。
【００７１】
以上のように構成されたシステムが実行されるハードウエア構成を図２５に示す。図２５は、通信を行う汎用の計算機システムの構成と基本的に同じであり、図２４で示したシステム構成部分として説明した、ルール記憶手段２４０５、制御手段２４０６、制御内容記憶手段２４０７を備えている。図２５の構成のうち、図２４のシステム構成と同じ部分に関しては、同一番号を付与し説明を省略する。図２５において、２５０１は処理のプログラムやデータを実行時に記憶する主記憶装置、２５０２はプログラムやデータを蓄積しておく外部記憶装置、２５０３は外部記憶装置２５０２に記憶されているプログラムを主記憶装置２５０１に転送し実行するＣＰＵ、２５０４は外部のネットワークと接続することができるモデム、２５０５は制御手段２４０６により機器を制御する制御装置である。
【００７２】
以上のように構成されたルール通信装置の動作を図２６のフローチャートに沿って説明すると共に、本発明のルール通信方法の一実施の形態についても併せて述べる。
（ステップＦ１）
ルール生成手段２４０１において、送信者側でルールを作成する。例えば、制御内容を監視するためのルールとして、図２７に示すルールを作成したとする。図２７のルールは、制御機器の利用回数が１００回を越えた場合に、制御機器側からデータ送信側にネットワークを介して知らせることを示すルールである。
（ステップＦ２）
データ送信手段２４０２において、ルール生成手段２４０１で作成されたルールを受信側で解釈できる形式に編集しなおし送信する。
（ステップＦ３）
データ受信手段２４０３において、（ステップＦ２）で送信された内容をデータ受信側において受信する。
（ステップＦ４）
ルール変換手段２４０４において、（ステップＦ３）で受信した内容をルールに変換する。ここでは、送信側のルール生成手段２４０１において生成された図２７のルールに変換される。
（ステップＦ５）
（ステップＦ４）で変換されたルールから１つのルールを選択し、ルール記憶手段２４０５に入力し記憶させる。
（ステップＦ６）
記憶させるルールが最後のルールでない場合には、（ステップＦ５）に戻る。それ以外は、次のステップへすすむ。
（ステップＦ７）
制御手段２４０６で制御された内容が制御内容記憶手段２４０７に記憶される。例えば、制御機器が利用されている回数が制御内容記憶手段で記憶されていて、制御機器が利用される度に、その利用回数が更新されるとする。
（ステップＦ８）
ルール記憶手段２４０５と制御内容記憶手段２４０７の内容を照合し、ルール記憶手段２４０５で適合するルールが存在した場合には、ルールを実行する。適合するルールがない場合には、（ステップＦ７）へ戻る。本例では、図２７のルールがルール記憶手段で記憶されているため、制御内容記憶手段２４０７で記憶されている機器の利用回数が１００回を越えた場合に、制御機器側からデータ送信側にネットワークを介して知らせる。
【００７３】
制御機器の出荷時に、予め利用回数が２００回を越えた場合に、制御機器側からデータ送信側に知らせるように設定された制御機器でも、図２７のルールを送信することにより、利用回数が１００回でデータ送信側に知らせるように適宜変更することが出来る。又、各設置場所に応じて、利用回数の設定を異ならせることも同様に行える。
【００７４】
以上のアルゴリズムを動作させた結果、制御機器が設置されている場所に行かなくても、遠隔地において制御機器の利用内容を監視することができる。特に、制御機器に関する故障通報等に有効である。
【００７５】
なお、本実施の形態では、データ送信手段とデータ受信手段を用いてデータの送受信を行ったが、各手段をＤＴＭＦ送信手段とＤＴＭＦ受信手段に変更し、ＤＴＭＦ信号により情報の送受信を行ってもよい。
【００７６】
また、本実施の形態では、制御機器の利用回数に関して述べたが、さらに異常箇所や故障部分に関する情報を用いてもよい。
【００７７】
また、本実施の形態では、情報を受信する装置はモデム等によりネットワークに接続された機器で説明したが、放送等のメディアを用いてルール形式の情報を送信し、チューナーを用いてそのルール形式の情報を受信してもよい。
【００７８】
また、本実施の形態では、データを送受信する機器において電話回線に接続されたモデムに関して述べたが、インターネット等の専用回線やＬＡＮによる回線を用いてもよい。
【００７９】
尚、本実施の形態での制御機器は、コンビニエンスストアやファミリーレストランで利用される業務用電子レンジ等の調理機器でもよい。これらの業務用電子レンジは、使用頻度が高いため、各機器の使用回数に応じたメインテナンスが必要である。しかし、各店によって電子レンジの使用頻度が異なる。そこで、各店の電子レンジの使用回数を、ある設定回数を越えた場合には、サーバ側に各店から通知させるというルールを、各店にネットワークを介して送る。このようにすれば、各店に応じて電子レンジのメインテナンスを行わなければならない時期を、サーバ側で管理することが出来る。ここでのルールは、各店に応じて、設定回数を変えることも可能であり、その場合には、各店側にとって、送信されてきた複数のルールの内、自らの店用の設定値が、どれであるかを区別出来る様にするための識別子（例えば、ＩＦ文）が記されている。
（実施の形態７）
図２８は、本発明にかかる一実施の形態のルール通信装置のシステム構成図であり、同図を用いて、本実施の形態について説明する。
【００８０】
図２８において、２８０１はルールを生成するルール生成手段、２８０２はルール生成手段２８０１で生成されたルールをデータを変換して送信するデータ送信手段である。これらにより送信装置２８５１が構成されている。又、２８０３はデータ送信手段２８０２で送信されたデータを受信するデータ受信手段、２８０４はデータ受信手段２８０３で受信したデータをルールに変換するルール変換手段、２８０５はルール変換手段２８０４で変換されたルールを記憶するルール記憶手段、２８０７はデータを記憶するデータ記憶手段、２８０６はルール記憶手段２８０５で記憶されているルールに基づいてデータ記憶手段２８０７にデータを書き込むデータ書き込み手段、２８０８はデータ書き込み手段で実行されたデータ書き込み内容を記憶するデータ書き込み内容記憶手段、２８０９はデータ書き込み内容記憶手段２８０８で記憶されている内容に応じて制御動作を実行する制御動作実行手段である。これらにより受信装置２８５２が構成されている。
【００８１】
以上のように構成されたシステムが実行されるハードウエア構成を図２９に示す。図２９は、通信を行う汎用の計算機システムの構成と基本的に同じであり、図２８で示したシステム構成部分として説明した、ルール記憶手段２８０５、データ書き込み手段２８０６、データ書き込み内容記憶手段２８０８を備えている。図２９の構成のうち、図２８のシステム構成と同じ部分に関しては、同一番号を付与し説明を省略する。図２９において、２９０１は処理のプログラムやデータを実行時に記憶する主記憶装置、２９０２はプログラムやデータを蓄積しておく外部記憶装置、２９０３は外部記憶装置２９０２に記憶されているプログラムを主記憶装置２９０１に転送し実行するＣＰＵ、２９０４は外部のネットワークと接続することができるモデム、２９０５はデータ書き込み手段２８０６によりデータを書き込みを制御する制御装置である。以上のように構成されたルール通信装置の動作を図３０のフローチャートに沿って説明する。
【００８２】
（ステップＧ１）から（ステップＧ６）までは、（ステップＣ１）から（ステップＣ６）と同様の処理であるため、ここでは説明を省略する。
（ステップＧ７）
機器制御用のＩＣカードが挿入された場合に、ルール記憶手段で記憶されているルールに基づいて、データを書き込む。例えば、機器制御用のＩＣカードとしてＴＹＰＥ１のカードが挿入された場合には、図１４の１番目のルールに基づいて、データが書き込まれる。このとき、ＴＹＰＥ１のカードに関しては、データを書き込んだことをデータ書き込み内容記憶手段２８０８において記憶させる。
（ステップＧ８）
ルール記憶手段２８０５で記憶されているルールに関して、全て実行したのちに、データ書き込み内容記憶手段の内容をチェックし、全ての内容に関してデータ書き込みが完了していない場合には、制御動作実行手段において、次の様な制御動作を実行する。例えば、ディスプレイを設け、書き込みがされていない記憶媒体がある場合には、ユーザにチェックを促すという制御動作である（図３１参照）。また、データが書き込まれていないことを、データ送信者側に知らせる。さらに、データ書き込み中にＩＣカードを取り出される等により、データ書き込みに失敗した場合、失敗した内容をユーザに知らせる。
【００８３】
以上のアルゴリズムを動作させた結果、ＩＣカード等の外部記憶媒体を用いて機器を制御する場合に、カードのタイプに応じてデータの書き込み内容を記述することができるため、ＩＣカード等の外部記憶媒体で機器を制御しなければいけないユーザでも、カードのタイプを意識することなく本装置が自動判別してデータを書き込ませることができる。さらに、書き込み漏れが生じないように、チェックを促すことができる。
【００８４】
なお、本実施の形態では、データ送信手段とデータ受信手段を用いてデータの送受信を行ったが、各手段をＤＴＭＦ送信手段とＤＴＭＦ受信手段に変更し、ＤＴＭＦ信号により情報の送受信を行ってもよい。
【００８５】
なお、本実施の形態では、情報を受信する装置はモデム等によりネットワークに接続された機器で説明したが、放送等のメディアを用いてルール形式の情報を送信し、チューナーを用いてそのルール形式の情報を受信してもよい。
【００８６】
なお、本実施の形態では、ＩＣカードのタイプに応じて処理内容を変更するルールの送受信に関して述べたが、時間や季節に応じて処理内容を変更するルールの送受信を用いてもよい。
【００８７】
なお、本実施の形態では、データを送受信する機器において電話回線に接続されたモデムに関して述べたが、インターネット等の専用回線やＬＡＮによる回線を用いてもよい。
（実施の形態８）
図３２は、本発明にかかる一実施の形態のルール通信装置のシステム構成図であり、同図を用いて、本実施の形態について説明する。
【００８８】
まず、本実施の形態の概要を述べる。
【００８９】
上記実施の形態でも述べたように、送信側から受信側に対して新たな制御情報を通信することにより、受信側に既に備えている各制御機器の制御情報を変更させることができる。即ち、実施の形態１や実施の形態５でも述べた様に、例えば、コンビニエンスストアやファミリーレストランにおいて、電子レンジの制御情報をサーバから各店の端末へ送信し、それを更に更新することが出来る。そのため、各店の電子レンジに接続するプロトコルがわかれば、サーバ以外の第３者でも各店の制御情報を不正に変更することが出来てしまう。そこで、サーバから各店に対して、接続の都度、次回の接続において使用する予定の新たなパスワードを予め送信しておく。即ち、このパスワードは、サーバが各店に対して、制御情報の更新等を行うために使用するものである。これにより、各店の端末は、既に送られてきている新たなパスワードが送信されてない場合には、そのパスワードを添えて接続要求をしている送信側が、サーバ以外の不正な第３者であると判断し、その接続要求を拒否することにより、制御情報の不正な変更を防止することが出来る。
【００９０】
次に、図３２を参照しながら本実施の形態の構成について述べる。
【００９１】
図３２において、３２０１は次回のパスワードを入力する次回パスワード入力手段、３２０２は次回パスワード入力手段３２０１で入力されたパスワードをデータに変換して送信するデータ送信手段である。これらにより送信装置３２５１が構成されている。又、３２０３はデータ送信手段３２０２で送信されたデータを受信するデータ受信手段、３２０４はデータ受信手段３２０３で受信したパスワードを解釈する次回パスワード解釈手段、３２０５は次回パスワード解釈手段３２０４で解釈された次回パスワードを記憶する次回パスワード記憶手段である。これらにより受信装置３２５２が構成されている。又、パスワード判定手段３２０６は、データ送信装置から接続要求があった際、そのデータ送信装置から予め送られてきているパスワードの更新予定情報に基づいて、接続要求に付されているパスワードの正否を判定し、その判定結果に応じて、その接続を許可する手段である。
【００９２】
以上のように構成されたシステムが実行されるハードウエア構成を図３３に示す。図３３は、通信を行う汎用の計算機システムの構成と基本的に同じであり、図３２で示したシステム構成部分として説明した、次回パスワード記憶手段３２０５を備えている。図３３の構成のうち、図３２のシステム構成と同じ部分に関しては、同一番号を付与し説明を省略する。図３３において、３３０１は処理のプログラムやデータを実行時に記憶する主記憶装置、３３０２はプログラムやデータを蓄積しておく外部記憶装置、３３０３は外部記憶装置３３０２に記憶されているプログラムを主記憶装置３３０１に転送し実行するＣＰＵ、３３０４は外部のネットワークと接続することができるモデム、３３０５は制御手段３３０６により機器を制御する制御装置である。
【００９３】
以上のように構成されたルール通信装置の動作を図３４のフローチャートに沿って説明すると共に、本発明のルール通信方法の一実施の形態についても併せて述べる。
（ステップＨ１）
次回パスワード生成手段３２０１において、送信者側で次回パスワードをルールの形で編集する。例えば、時間によって変更されるようにルールの形で次回接続するときのパスワードを図３５に示すように設定する。
（ステップＨ２）
データ送信手段３２０２において、次回パスワード入力手段３２０１で作成されたルールを受信側で解釈できる形式に編集しなおし送信する。
（ステップＨ３）
データ受信手段３２０３において、（ステップＨ２）で送信された内容をデータ受信側において受信する。
（ステップＨ４）
次回パスワード解釈手段３２０４において、（ステップＨ３）で受信した内容をルールに変換する。ここでは、送信側の次回パスワード入力手段３２０１において生成された図３５のルールに変換される。
（ステップＨ５）
（ステップＨ４）で変換されたルールを、次回パスワード記憶手段３２０５に入力し記憶させる。
【００９４】
例えば、次回、制御情報を更新するために送信側から時刻９：００に接続要求があったとする。このとき、図３５のルールが各端末に記憶されているため、サーバがパスワードとして”ｐｐｑｑ”を送信してきた場合には、制御情報を更新するために本来のサーバが接続要求していると判断し、端末は、接続を許可する。
【００９５】
具体的には、図３２に示すように、パスワード判定手段３２０６が、データ受信手段３２０３から受信情報を得て、次回パスワード記憶手段３２０５に記憶されている新たなパスワードと比較し、サーバがパスワードとして”ｐｐｑｑ”を送信してきたと判定した場合には、データ送信手段３２０２に対して、接続の許可を出す。
【００９６】
一方、端末に対して接続要求があった際に、”ｐｐｑｑ”というパスワードが送信されてこない場合には、パスワード判定手段３２０６により、その要求は、本来のサーバ以外の第３者による接続要求であると判断し、その接続を拒否する。これにより、制御情報の不正な変更が防止出来る。サーバが各端末に接続する度に、次回使用する予定のパスワードを送信しておくことにより、パスワードを動的に変更することが出来、第３者が一度、そのパスワードを知ったとしても、次回以降は、接続することが出来ないので、制御情報のセキュリティを確保出来る。
【００９７】
以上のアルゴリズムを動作させた結果、データを送信する度にパスワードを動的に変更することができ、高いセキュリティを簡単にルールによって実現することができる。
【００９８】
（実施の形態９）
図３６は、本発明にかかる実施の一形態のルール通信装置のシステム構成図であり、同図を用いて、本実施の形態について説明する。
【００９９】
図３６において、３６０１はルールを生成するルール生成手段、３６０２はルール生成手段３６０１で生成されたルールをデータに変換して送信するデータ送信手段である。これらにより送信装置３６５１が構成されている。尚、これらのルールは、ＩＦ・ＴＨＥＮ形式で記述されているものとする。又、３６０３はデータ送信手段３６０２で送信されたデータを受信するデータ受信手段、３６０４はデータ受信手段３６０３で受信したデータをルールに変換するルール変換手段、３６０５はルール変換手段３６０４で変換されたルールを記憶するルール記憶手段、３６０６はルール記憶手段３６０５で記憶されているルールの前件部に基づいて、対応する制御対象装置の記憶媒体（図示省略）に対して、そのルールの後件部のデータの書き込みを制御し、実行する書き込み制御手段である。これらにより受信装置３６５２が構成されている。尚、ここで、図３９に示すように、前件部とは、ルールの内、ＩＦ文で記述された条件情報部分３９０１であり、後件部とは、そのルールの内、ＴＨＥＮ以降に記述された制御情報部分３９０２である。又、本発明のルール選定手段は、書き込み制御手段に対応する。
【０１００】
以上のように構成されたシステムが実行されるハードウエア構成を図３７に示す。図３７は、通信を行う汎用の計算機システムの構成と基本的に同じである。図３７において、３７０１は処理のプログラムやデータを実行時に記憶する主記憶装置、３７０２はプログラムやデータを蓄積しておく外部記憶装置、３７０３は外部記憶装置に記憶されているプログラムを主記憶装置に転送し実行するＣＰＵ、３７０４は外部のネットワークと接続することができるモデム、３７０５は外部へのデータ書き込みを実行するＲＳ２３２Ｃ等の外部インタフェース、３７０６ａ、３７０６ｂは記憶媒体を有するＭＷタイプの電子レンジである。又、３７０６ｃは、記憶媒体を有するＳＣタイプの電子レンジである。
【０１０１】
以上のように構成されたルール通信装置の動作を図３８のフローチャートに沿って説明する。尚、本実施の形態においても、上記実施の形態１の冒頭に説明した様に、新たな冷凍食品が開発された場合や、従来の調理方法が変更された場合、その新たな調理方法の情報等が、サーバから各コンビニエンスストアやファミリーレストランに送信される場面を一例として述べる。
（ステップＪ１）
ルール生成手段３６０１において、送信者側でルールを編集する。
【０１０２】
例えば、電子レンジの調理シーケンスの書き込み内容を電子レンジの機種によって制御するルールとして、図３９に示すルールを作成・編集したとする。このルールは、「もし、機種がＭＷであれば、はじめに８００Ｗで１０秒、次に３００Ｗで３０秒加熱する。もし、機種がＳＣであれば、はじめに８００Ｗで１０秒、次に３００Ｗでスチーム機能を使いながら４０秒加熱する」を表現したルールである。ＳＣの機種は、スチーム機能がついているため、スチーム機能が付いていないＭＷとは、調理シーケンスが異なる。
（ステップＪ２）
データ送信手段３６０２において、ルール生成手段３６０１で作成されたルールを送信する。
【０１０３】
例えば、モデムを通して電話回線により受信装置に送信する。
（ステップＪ３）
データ受信手段３６０３において、データ送信手段から送信されたルールを受信する。
（ステップＪ４）
データ受信手段３６０３で受信されたルールをルール記憶手段３６０５に蓄積する。
（ステップＪ５）
ルール記憶手段３６０５で記憶されているルールから、まだ選択されていないルールを一つ選択する。
（ステップＪ６）
ステップＪ５において選択されたルールの前件部（図３９中では、３９０１を付した部分）が、受信装置３６５２に接続されている複数の電子レンジの各機種に適合するか否かをチェックする。電子レンジの機種と、ステップＪ５で選択されたルールの前件部が適合した場合には、データ書き込みのための接続先として特定すべき電子レンジの機種と、そのルールの後件部（図３９中では、３９０２を付した部分）の記載内容との対応付けを行う。尚、前件部が適合しなかった場合には、（ステップＪ５）へ戻る。
【０１０４】
次に、まだ選択されていないルールが、ルール記憶手段３６０５に記憶されている場合には、ステップＪ５へ戻る。
【０１０５】
そして、ステップＪ５で、既に全てのルールの選択が完了している場合には、本ステップで作成された、上記対応付けの情報を保持して、ステップＪ７へ進む。
（ステップＪ７）
ステップＪ６で作成された上記対応付けの情報を用いて、上記各接続先の電子レンジに対して、対応する後件部のデータの書き込み処理を実行する。この場合、書き込み先は、各電子レンジの記憶媒体である。
【０１０６】
例えば、図３７に示す様に、制御対象装置として、ＭＷという機種の電子レンジ３７０６ａ、３７０６ｂと、ＳＣという機種の電子レンジ３７０６ｃとが受信装置３６５２に接続されていたとする。このとき、ステップＪ６において、電子レンジ３７０６ａ、３７０６ｂの機種と、「Ｔｈｅｎ  １ｓｔ  ８００Ｗ  １０ｓｅｃ，  ２ｎｄ  ３００Ｗ  ３０ｓｅｃ」という内容（図３９の後件部３９０２）との対応付けがなされ、又、電子レンジ３７０６ｃの機種と、「Ｔｈｅｎ  １ｓｔ  ８００Ｗ  １０ｓｅｃ，  ２ｎｄ  ３００Ｗ  ４０ｓｅｃ  ｗｉｔｈ  Ｓｔｅａｍ」という内容との対応付けがなされる。よって、上記各電子レンジ３７０６ａ、３７０６ｂの２機種と、電子レンジ３７０６ｃの１機種に対して調理シーケンスが書き込まれる。尚、この書き込み動作は、書き込み制御手段３６０６により実行される。又、電子レンジ３７０６ａと３７０６ｂは、タイプはいずれもＭＷであるが、制御対象装置としては別の装置であるので、それぞれ個別に特定可能な様に装置毎に識別番号などが付されている。
【０１０７】
これにより、各店舗に設けられた制御対象の機種に応じて制御内容（調理シーケンス）が異なる場合でも、各機種に応じた調理シーケンスを全ての電子レンジの機種の種類だけ用意し、全店舗に対して、それら全ての種類の調理シーケンスをまとめて一度に送信することができる。よって、各店舗では、電子レンジの各機種に対応した最適な調理シーケンスのみを抽出し、これを用いて調理を実現できる。
【０１０８】
なお、本実施例では、モデムを介したデータの通信を用いたが、データの通信手段は、放送を用いてもよい。例えば、冷凍食品のＣＭ番組と同時に、調理シーケンス情報を放送し、受信機を介して調理シーケンスを接続されている電子レンジの記憶媒体に書き込んでもよい。
【０１０９】
尚、本実施の形態では、制御対象装置の記憶媒体が、内蔵タイプの場合について述べたが、これに限らず例えば、制御対象装置に挿入・取り出し可能なカードメモリタイプでもよい。カードメモリタイプの場合、実施の形態３で述べた様に、書き込み制御手段３６０３が、制御対象装置との対応関係を示す識別情報が付されたＩＣカードに対して、上記制御情報を書き込む。
（実施の形態１０）
図４０は、本発明にかかる実施の一形態のルール通信装置のシステム構成図であり、同図を用いて、本実施の形態について説明する。
【０１１０】
図４０において、４００１はルールを生成するルール生成手段、４００２はルール生成手段４００１で生成されたルールをデータに変換して送信するデータ送信手段である。これらにより送信装置４０５１が構成されている。又、４００３はデータ送信手段４００２で送信されたデータを受信するデータ受信手段、４００４はデータ受信手段４００３で受信したデータをルールに変換するルール変換手段、４００５はルール変換手段４００４で変換されたルールを記憶するルール記憶手段、４００６はルール記憶手段４００５で記憶されているルールに基づいてデータの書き込みを制御する書き込み制御手段、４００７は書き込み制御手段の結果を表示する表示手段である。これらにより、受信装置４０５２が構成されている。  以上のように構成されたシステムが実行されるハードウエア構成を図４１に示す。図４１は、通信を行う汎用の計算機システムの構成と基本的に同じである。図４１において、４１０１は処理のプログラムやデータを実行時に記憶する主記憶装置、４１０２はプログラムやデータを蓄積しておく外部記憶装置、４１０３は外部記憶装置に記憶されているプログラムを主記憶装置に転送し実行するＣＰＵ、４１０４は外部のネットワークと接続することができるモデム、４１０５は外部へのデータ書き込みを実行するＲＳ２３２Ｃ等の外部インタフェース、４１０６ａ〜４１０６ｃは記憶媒体を有する電子レンジ、４１０７は書き込み制御の結果を表示する表示装置である。
【０１１１】
尚、本実施の形態と上記実施の形態９との主な相違点は、表示手段４００７を備えた点と、後述する書き込み制御手段のステップＫ５などに関連する制御動作であり、それ以外の構成は基本的に同じである。
【０１１２】
以上のように構成されたルール通信装置の動作を図４２のフローチャートに沿って説明する。
（ステップＫ１）
ルール生成手段４００１において、送信者側でルールを編集する。例えば、電子レンジの調理シーケンスの書き込み内容を電子レンジの機種によって制御するルールとして、図３９に示すルールを作成・編集したとする。
（ステップＫ２）
データ送信手段４００３において、ルール生成手段４００１で作成されたルールを送信する。例えば、モデムを通して電話回線により受信装置に送信する。
（ステップＫ３）
データ受信手段において、データ送信手段から送信されたルールを受信する。
（ステップＫ４）
データ受信手段で受信されたルールをルール記憶部に蓄積する。
（ステップＫ５）
データ受信装置に接続されている制御対象の一つを選択する。
（ステップＫ６）
ステップＫ５で選択された制御対象装置（例えば、電子レンジ４１０６ａ）の機種名（例えば、電子レンジ４１０６ａの場合、機種名ＭＷ）が、ルール蓄積手段で蓄積されているルールの前件部３９０１の記載内容に対して適合するか否かをチェックする。前件部が適合した場合には、（ステップＫ７）にすすむ。適合しなかった場合には、（ステップＫ８）へすすむ。
（ステップＫ７）
ステップＫ６において、適合していると判定されたルールの後件部３９０２に記述されている調理方法のデータを、対応する電子レンジ４１０６ａの記憶媒体に書き込む動作を実行し、（ステップＫ５）へ戻る。
（ステップＫ８）
ステップＫ５において選択された制御対象装置が、ルール記憶手段４００５に蓄積されているどのルールにも適合しなかったことを、表示手段４００７を用いて表示する。この表示動作は、書き込み制御手段４００６からの指令により実行される。
【０１１３】
ここでは、図３９に示すルールに対応する電子レンジの機種は、ＭＷと、ＳＣであるのに対して、図４１に示す電子レンジの機種がＭＷ、ＳＣ、及びＭＳの３機種である。
【０１１４】
この場合、ステップＫ６において、電子レンジ４１０６ｃが、どのルールにも適合しない機種であると判定されて、ステップＫ８にて、例えば、図４３に示すように表示される。また、受信装置から送信装置へモデムと公衆回線を介して、適合するルールがなかったことを知らせるメッセージを送信してもよい。
【０１１５】
これにより、上記実施の形態９と同様に、制御対象の機種に応じて制御（調理シーケンス）が異なる場合でも、一回の送信で複数機種の制御内容を送信することができる。更に本実施の形態では、送信されてきたルールにより、メニュー内容が更新されなかった電子レンジが存在した場合に、その旨をその店舗の従業員、あるいは、送信側のサーバに知らせることが可能になる。
【０１１６】
なお、（ステップＫ８）において、表示装置がなかった場合でも、上記内容を音声や、ＬＥＤの表示により知らせる構成としてもよい。さらに、メニューが更新されたときには、その旨を示す表示をしてもよい。
（実施の形態１１）
図４４は、本発明にかかる実施の一形態のルール通信装置のシステム構成図であり、同図を用いて、本実施の形態について説明する。
【０１１７】
図４４において、４４０１はルールを生成するルール生成手段、４４０２はルール生成手段４４０１で生成されたルールをデータに変換して送信するデータ送信手段である。これらにより送信装置４４５１が構成されている。又、４４０３はデータ送信手段４４０２で送信されたデータを受信するデータ受信手段、４４０４はデータ受信手段４４０３で受信したデータをルールに変換するルール変換手段、４４０５はルール変換手段４４０４で変換されたルールを記憶するルール記憶手段、４４０６は、ルール記憶手段４４０５に記憶されたルールから日時情報を検出する日時検出手段、４４０７はルール記憶手段４４０５で記憶されているルールと、日時検出手段４４０６により検出された日時情報とに基づいて、データの書き込みを制御する書き込み制御手段である。これらにより受信装置４４５２が構成されている。
【０１１８】
以上のように構成されたシステムが実行されるハードウエア構成を図４５に示す。図４５は、通信を行う汎用の計算機システムの構成と基本的に同じである。図４５において、４５０１は処理のプログラムやデータを実行時に記憶する主記憶装置、４５０２はプログラムやデータを蓄積しておく外部記憶装置、４５０３は外部記憶装置に記憶されているプログラムを主記憶装置に転送し実行するＣＰＵ、４５０４は外部のネットワークと接続することができるモデム、４５０５は外部へのデータ書き込みを実行するＲＳ２３２Ｃ等の外部インタフェース、４５０６ａ〜４５０６ｃは記憶媒体を有する電子レンジである。
【０１１９】
尚、本実施の形態と上記実施の形態９との主な相違点は、日時検出手段４４０６を備え、書き込み制御手段４４０７によるデータの書き込み制御に際し、その書き込み時期をも考慮した点であ。従って、それ以外の点は、基本的に実施の形態９と同じである。又、本発明の書き換え時期情報は、日時情報に対応する。
【０１２０】
以上のように構成されたルール通信装置の動作を図４６のフローチャートに沿って説明する。
（ステップＬ１）
ルール生成手段  において、送信者側でルールを編集する。例えば、電子レンジの調理シーケンスの書き込み内容を電子レンジの機種によって制御するルールとして、図４７に示すルールを作成・編集したとする。図４７に示すルールは、その日時情報４７０１において、１９９９年４月１日１０時に、各電子レンジに対して、新しい調理シーケンスを書き込む動作を実行させることを示している。
【０１２１】
これにより、例えば、これまで使用していた食材に対する調理シーケンスを、新たな食材に対する新たな調理シーケンスに更新する時期を、全店舗一斉に行うことが出来る。すなわち、この場合、９９年４月１日１０時から、新たな調理シーケンスによる新メニューの提供が全店一斉に確実に行える。
（ステップＬ２）
データ送信手段において、ルール生成手段で作成されたルールを送信する。例えば、モデムを通して電話回線により受信装置に送信する。
（ステップＬ３）
データ受信手段において、データ送信手段から送信されたルールを受信する。
（ステップＬ４）
データ受信手段で受信されたルールをルール記憶部に蓄積する。
（ステップＬ５）
ルール記憶手段４４０５で記憶されているルールから、まだ選択されていないルールを一つ選択する。
（ステップＬ６）
現在時刻と、選択されたルールに記載された設定時刻とが、同じであるかを比較する。現在時刻が設定された時刻より後の場合には、次のステップへすすむ。それ以外は（ステップＬ５）へ戻る。
【０１２２】
即ち、ステップＬ５で、図４７に示したルールが選択されている場合、現在時刻が、１９９９年４月１日１０時を経過するまでは、ステップＬ５に戻るので、そのルールの書き込み動作は実行されない。
（ステップＬ７）
上記実施の形態９で述べたステップＪ６と基本的に同じである。
（ステップＬ８）
上記実施の形態９で述べたステップＪ７と基本的に同じである。
【０１２３】
即ち、ステップＬ７で作成された上記対応付けの情報を用いて、上記各接続先の電子レンジ４５０６ａ〜４５０６ｃに対して、対応する後件部のデータ（図４７参照）の書き込み処理を実行する。
【０１２４】
これにより、送信側でメニューを書き込む日時を指定することができる。例えば、コンビニエンスストアで、新メニューが発売される時期にあわせて、新たな調理シーケンスを電子レンジの記憶媒体に書き込むことができる。
（実施の形態１２）
図４８は、本発明にかかる実施の一形態のルール通信装置のシステム構成図であり、同図を用いて、本実施の形態について説明する。
【０１２５】
図４８において、４８０１はルールを生成するルール生成手段、４８０２はルール生成手段４８０１で生成されたルールをデータに変換して送信するデータ送信手段である。これらにより送信装置４８５１が構成されている。又、４８０３はデータ送信手段４８０２で送信されたデータを受信するデータ受信手段、４８０４はデータ受信手段４８０３で受信したデータをルールに変換するルール変換手段、４８０５はルール変換手段４８０４で変換されたルールを記憶するルール記憶手段、４８０６は制御対象が記憶媒体をアクセスしているか否かを検出するアクセス検出手段、４８０７はルール記憶手段４８０５で記憶されているルールとアクセス検出手段４８０６の制御対象のアクセス状況からデータの書き込みを制御する書き込み制御手段である。これらにより受信装置４８５２が構成される。
【０１２６】
以上のように構成されたシステムが実行されるハードウエア構成を図４９に示す。図４９は、通信を行う汎用の計算機システムの構成と基本的に同じである。図４９において、４９０１は処理のプログラムやデータを実行時に記憶する主記憶装置、４９０２はプログラムやデータを蓄積しておく外部記憶装置、４９０３は外部記憶装置に記憶されているプログラムを主記憶装置に転送し実行するＣＰＵ、４９０４は外部のネットワークと接続することができるモデム、４９０５は外部へのデータ書き込みを実行するＲＳ２３２Ｃ等の外部インタフェース、４９０６ａ〜４９０６ｃは記憶媒体を有する電子レンジである。
【０１２７】
尚、本実施の形態と上記実施の形態９との主な相違点は、アクセス検出手段４８０６を備え、書き込み制御手段４８０７による書き込み制御をよりきめ細かくする様にした点である。従って、それ以外の点は、基本的に上記実施の形態９と同じである。
【０１２８】
以上のように構成されたルール通信装置の動作を図５０のフローチャートに沿って説明する。
（ステップＭ１）
ルール生成手段において、送信者側でルールを編集する。例えば、電子レンジの調理シーケンスの書き込み内容を電子レンジの機種によって制御するルールとして、図３９に示すルールを作成・編集したとする。
（ステップＭ２）
データ送信手段において、ルール生成手段で作成されたルールを送信する。例えば、モデムを通して電話回線により受信装置に送信する。
（ステップＭ３）
データ受信手段において、データ送信手段から送信されたルールを受信する。
（ステップＭ４）
データ受信手段で受信されたルールをルール記憶部に蓄積する。
（ステップＭ５）
ルール記憶手段４８０５で記憶されているルールから、まだ選択されていないルールを一つ選択する。
（ステップＭ６）
上記実施の形態９で述べたステップＪ６と基本的に同じである。
（ステップＭ７）
受信装置がデータを書き込む記憶媒体に対して、制御対象装置がアクセスしていないか否かをチェックする。制御対象がアクセスしていた場合には、（ステップＭ８）へすすむ。それ以外は、（ステップＭ９）へすすむ。
（ステップＭ８）
制御機器のアクセスが終わるまで一定時間まつ。
（ステップＭ９）
上記実施の形態９で述べたステップＪ７と基本的に同じである。
【０１２９】
即ち、ステップＭ６で作成された上記対応付けの情報を用いて、上記各接続先の電子レンジ４９０６ａ〜４９０６ｃに対して、対応する後件部のデータの書き込み処理を実行する。
【０１３０】
これにより、制御対象が制御対象の記憶媒体にアクセスしているときには、データ書き込みをしないため、安全・確実に調理シーケンスを書き込むことが可能になる。
（実施の形態１３）
図５１は、本発明にかかる実施の一形態のルール通信装置のシステム構成図であり、同図を用いて、本実施の形態について説明する。
【０１３１】
図５１において、５１０１はルールを生成するルール生成手段、５１０２はルール生成手段５１０１で生成されたルールをデータに変換して送信するデータ送信手段である。これらにより送信装置５１５１が構成される。又、５１０３はデータ送信手段５１０２で送信されたデータを受信するデータ受信手段、５１０４はデータ受信手段５１０３で受信したデータをルールに変換するルール変換手段、５１０５はルール変換手段５１０４で変換されたルールを記憶するルール記憶手段、５１０６は制御対象の制御に影響を与える状況を観測する状況観測手段、５１０７はルール記憶手段５１０５で記憶されているルールと、状況観測手段５１０６により観測された状況とから、データの書き込みを制御する書き込み制御手段である。これらにより受信装置５１５２が構成される。
【０１３２】
以上のように構成されたシステムが実行されるハードウエア構成を図５２に示す。図５２は、通信を行う汎用の計算機システムの構成と基本的に同じである。図５２において、５２０１は処理のプログラムやデータを実行時に記憶する主記憶装置、５２０２はプログラムやデータを蓄積しておく外部記憶装置、５２０３は外部記憶装置に記憶されているプログラムを主記憶装置に転送し実行するＣＰＵ、５２０４は外部のネットワークと接続することができるモデム、５２０５は外部へのデータ書き込みを実行するＲＳ２３２Ｃ等の外部インタフェース、５２０６ａ〜５２０６ｃは記憶媒体を有する電子レンジ、５２０７は電子レンジに入れる冷凍食材を保管する冷凍庫である
尚、本実施の形態と上記実施の形態９との主な相違点は、上記状況観測手段５１０６として、冷凍庫５２０７の内部温度を観測する温度検出器を設けた点であり、これにより、電子レンジの調理シーケンスを、冷凍庫の温度状況に応じて、よりきめ細かく修正する点である。従ってそれ以外の点は、上記実施の形態９と基本的に同じである。
【０１３３】
以上のように構成されたルール通信装置の動作を図５３のフローチャートに沿って説明する。
（ステップＮ１）
ルール生成手段において、送信者側でルールを編集する。例えば、電子レンジの調理シーケンスの書き込み内容を電子レンジの機種によって制御するルールとして、図５４に示すルールを作成・編集したとする。このルールは、「もし、機種がＭＷであって、冷凍庫の温度状態がＨｉｇｈ（温度が高く冷凍物の温度がそれほど低くないため、長く温める必要がない）であればはじめに８００Ｗで１０秒、次に３００Ｗで３０秒加熱する。」を表現したルールである。
（ステップＮ２）
データ送信手段において、ルール生成手段で作成されたルールを送信する。例えば、モデムを通して電話回線により受信装置に送信する。
（ステップＮ３）
データ受信手段において、データ送信手段から送信されたルールを受信する。
（ステップＮ４）
データ受信手段で受信されたルールをルール記憶部に蓄積する。
（ステップＮ５）
ルール記憶手段５１４０５で記憶されているルールから、まだ選択されていないルールを一つ選択する。
（ステップＮ６）
上記実施の形態９で述べたステップＪ６と基本的に同じである。
（ステップＮ７）
前件部が適合したルールに対して、状況観測手段で観測された冷凍庫の状態を基に、それに適合するデータ書き込み処理を実行する。ここでのデータ書き込み処理は、冷蔵庫の状態を加味する以外は、上記実施の形態９で述べたステップＪ７と基本的に同じである。その後、再び、（ステップＮ５）へ戻る。
【０１３４】
これにより、電子レンジの調理シーケンスを冷凍庫の状態に応じて、ルールの後件部のデータを変更することができる。さらに、冷凍庫への食品の保存のためのドアの開閉によって、内部の温度状態が変化した場合には、その都度、調理シーケンスをより適切な内容に変更することが可能になる。これにより、冷凍食品の冷凍状態の違いから生じる、食品の調理失敗による廃棄ロスを削減することができる
なお、冷凍庫の状態だけでなく、外気温度、季節、調理する時間帯、お客さんの好みによって、調理シーケンスを変更してもよい。
（実施の形態１４）
図５５は、本発明にかかる実施の一形態のルール通信装置のシステム構成図であり、同図を用いて、本実施の形態について説明する。
【０１３５】
図５５において、５５０１はルールを生成するルール生成手段、５５０２はルール生成手段５５０１で生成されたルールをデータに変換して送信するデータ送信手段である。これらにより送信装置５５５１が構成される。又、５５０３はデータ送信手段５５０３に対してデータの送信を要求する要求送信手段、５５０４はデータ送信手段５５０２で送信されたデータを受信するデータ受信手段、５５０５はデータ受信手段５５０４で受信したデータをルールに変換するルール変換手段、５５０６はルール変換手段５５０５で変換されたルールを記憶するルール記憶手段、５５０７はルール記憶手段５５０５で記憶されているルールに基づいてデータの書き込みを制御する書き込み制御手段である。これらにより、モバイル型の受信装置５５５２が構成される。又、コンビニエンスストア５５５３に設置されている電子レンジ５６０６ａ〜５６０６ｃは、アダプタ５５０８に接続されている。書き込み制御手段５５０７は、インタフェース５６０５（図５６参照）を介して、アダプタ５５０８と接続可能に構成されている。
【０１３６】
以上のように構成されたシステムが実行されるハードウエア構成を図５６に示す。図５６は、通信を行う汎用の計算機システムの構成と基本的に同じである。図５６において、５６０１は処理のプログラムやデータを実行時に記憶する主記憶装置、５６０２はプログラムやデータを蓄積しておく外部記憶装置、５６０３は外部記憶装置に記憶されているプログラムを主記憶装置に転送し実行するＣＰＵ、５６０４は外部のネットワークと接続することができるモデム、５６０５は外部へのデータ書き込みを実行するＲＳ２３２Ｃ等の外部インタフェース、５６０６ａ〜５６０６ｃは記憶媒体を有する電子レンジである。
【０１３７】
ここで、まず本実施の形態の概要について説明する。
【０１３８】
上記実施の形態の場合、各店舗に受信装置が設置されていた。これに対して、本実施の形態では、受信装置は、移動可能な構成であり、各店舗には常設されていない。即ち、ここでは、各店舗を巡回して、そこに設置されている電子レンジに対して、新たな調理シーケンスの書き込みを行うことを主な業務とするスーパーバイザーが、この受信装置を保持している。従って、スーパーバイザーが、インターネットブラウザを使って、ＷＷＷサーバにアクセスし、新たな調理シーケンスが登場していないかどうかを閲覧して、随時監視している。そして、新たな調理シーケンスがあった場合、その新たな調理シーケンスのルールをダンウンロードにより取得し、受信装置のルール記憶手段に一旦格納する。その後、その受信装置を持って、各店舗を巡回し、その店舗に設置されているアダプタ５５０８と接続して、新たな調理シーケンスの書き込みを実行するというものである。
【０１３９】
以上のように構成されたルール通信装置の動作を図５７のフローチャートに沿って説明する。
（ステップＰ１）
ルール生成手段において、送信者側（ＷＷＷサーバ）でルールを編集する。例えば、電子レンジの調理シーケンスの書き込み内容を電子レンジの機種によって制御するルールとして、図３９に示すルールを作成・編集したとする。
（ステップＰ２）
スーパーバイザーが、インターネットブラウザを使って、新たな調理シーケンスの有無を敵的に調べる。そして、新たな調理シーケンスが有れば、データ受信側のデータ要求手段５５０３から、データ送信手段５５０２に対して、データ要求を行う。例えば、インターネットのブラウザで表示されるボタンをクリックすることにより、データ要求が実行される。あるいは、モデムを通して電話回線によりデータ送信装置に対して送信要求を行う。
（ステップＰ３）
データ送信装置は、データ受信側の送信要求に対して、（ステップＰ１）で作成・編集したルールを送信する。
（ステップＰ４）
データ受信手段５５０４において、データ送信手段５５０２から送信されたルールを受信する。
（ステップＰ５）
データ受信手段５５０４で受信されたルールをルール記憶部５５０６に蓄積する。
（ステップＰ６）
スーパーバイザーの巡回作業者が、モバイル型の受信装置５５５２を携帯して、コンビニエンスストアーの各店舗を巡回する。そして、受信装置５５５２と、店舗に設置されている制御対象装置（電子レンジ）とを、アダプター５５０８を介して接続する。
（ステップＰ７）
ルール記憶手段５５０６で記憶されているルールから、まだ選択されていないルールを一つ選択する。
（ステップＰ８）
上記実施の形態９で述べたステップＪ６と基本的に同じである。
（ステップＰ９）
上記実施の形態９で述べたステップＪ７と基本的に同じである。
【０１４０】
即ち、ステップＰ８で作成された上記対応付けの情報を用いて、上記各接続先の電子レンジ５６０６ａ〜５６０６ｃに対して、対応する後件部のデータの書き込み処理を実行する。
【０１４１】
以上の説明から明らかなように、上記実施の形態では、受信装置が、各店舗毎に設置されていることが必要である。また、新たな調理シーケンスがどの時点で発表されるかわからないため、通常は受信装置の電源を常時入れておく必要がある。
【０１４２】
これに対して、本実施の形態においては、スーパーバイザーが、データ受信装置を保持しているので、各店舗には設置の必要がない。又、スーパーバイザーからサーバに対して定期的にデータ要求を行うことをきっかけに、ルールを受信するため、データ受信装置は、常時電源を入れ、データ受信待ち状態でいる必要がない。
【０１４３】
なお、データ受信装置は、携帯電話等のメモリ媒体をもつ通信装置であればどのような構成でもよい。
【０１４４】
また、制御対象と受信装置との間の通信は、無線、有線を問わない。
（実施の形態１５）
図５８は、本発明にかかる実施の一形態のルール通信装置のシステム構成図であり、同図を用いて、本実施の形態について説明する。
【０１４５】
図５８において、５８０１はルールを生成するルール生成手段、５８０２はルール生成手段５８０１で生成されたルールをデータに変換して送信するデータ送信手段である。これらにより送信装置５８５１が構成される。又、５８０３はデータ送信手段５８０３に対してデータの送信を要求する要求送信手段、５８０４はデータ送信手段５８０２で送信されたデータを受信するデータ受信手段、５８０５はデータ受信手段５８０４で受信したデータをルールに変換するルール変換手段、５８０６はルール変換手段５８０５で変換されたルールを記憶するルール記憶手段、５８０７はルール記憶手段５８０５で記憶されているルールに基づいてデータの書き込みを制御する書き込み制御手段、５８０８は書き込み制御手段５８０７で実行された書き込みに関する結果を記憶させる書き込み結果記憶手段、５８０９は書き込み結果記憶手段で蓄積されているデータを送信側へ送るかえす確認情報送信手段である。これらにより受信装置が構成される。
【０１４６】
以上のように構成されたシステムが実行されるハードウエア構成を図５９に示す。図５９は、通信を行う汎用の計算機システムの構成と基本的に同じである。
【０１４７】
図５９において、５９０１は処理のプログラムやデータを実行時に記憶する主記憶装置、５９０２はプログラムやデータを蓄積しておく外部記憶装置、５９０３は外部記憶装置に記憶されているプログラムを主記憶装置に転送し実行するＣＰＵ、５９０４は外部のネットワークと接続することができるモデム、５９０５は外部へのデータ書き込みを実行するＲＳ２３２Ｃ等の外部インタフェース、５９０６ａ〜５９０６ｃは記憶媒体を有する電子レンジである。
【０１４８】
尚、本実施の形態は、上記実施の形態１４で述べた様に、受信装置５８５２はスーパーバイザーが保持しており、各店舗５５５３には、アダプター５５０８と各種電子レンジが設けられている。
【０１４９】
以上のように構成されたルール通信装置の動作を図６０のフローチャートに沿って説明する。
（ステップＱ１）
ルール生成手段５８０１において、送信者側でルールを編集する。例えば、電子レンジの調理シーケンスの書き込み内容を電子レンジの機種によって制御するルールとして、図３９に示すルールを作成・編集したとする。
（ステップＱ２）
スーパーバイザーは、データ受信装置５８５２内のデータ要求手段５８０３から、データ送信手段５８０２に対して、データ要求を行う。例えば、モデムを通して電話回線によりデータ送信装置に対してデータ要求を行う
（ステップＱ３）
データ受信装置５８５２において、データ送信装置に対して送るべきデータがない場合には、（ステップＱ５）へすすむ。ある場合には、次のステップへすすむ。
（ステップＱ４）
スーパーバイザーは、データの更新日時情報や、前回各店舗を巡回した際のデータ更新時に、制御対象装置の記憶媒体から読み取っていた制御対象装置の使用回数などの履歴データの内容を送信する。
（ステップＱ５）
データ送信装置は、スーパーバイザーからのデータ要求に対して、（ステップＱ１）で作成・編集したルールを送信する。
（ステップＱ６）
データ受信手段において、データ送信手段から送信されたルールを受信する。
（ステップＱ７）
スーパーバイザーの巡回作業者が、モバイル型の受信装置５５５２を携帯して、コンビニエンスストアーの各店舗を巡回する。そして、受信装置５５５２と、店舗に設置されている制御対象装置（電子レンジ）とを、アダプター５５０８を介して接続する。
（ステップＱ８）
データ受信手段で受信されたルールをルール記憶部に蓄積する。
（ステップＱ９）
ルール記憶手段５８０６で記憶されているルールから、まだ選択されていないルールを一つ選択する。
（ステップＱ１０）
上記実施の形態９で述べたステップＪ６と基本的に同じである。
（ステップＱ１１）
上記実施の形態９で述べたステップＪ７と基本的に同じである。
【０１５０】
即ち、ステップＱ１０で作成された上記対応付けの情報を用いて、上記各接続先の電子レンジ５９０６ａ〜５９０６ｃに対して、対応する後件部のデータの書き込み処理を実行する。
（ステップＱ１２）
上記スーパーバイザーの巡回作業者が各店舗においてデータを更新した日時を、データ送信側へ送るためのデータとして蓄積し、（ステップＱ２）へもどる。
【０１５１】
例えば、（ステップＱ１２）において、コンビニエンスストアーのＡ店においてデータを書き込んだ日時として「９９年３月１０日１０時３５分」という情報を保存しておく。次回、そのスーパーバイザーが、データ送信側に対して、送信要求をするときに、これらの蓄積した日時の情報も送る。これにより、データ送信側において、Ａ店においてデータが更新されたことを確認でき、さらに、更新された日時も知ることができる。
【０１５２】
なお、送信装置と受信装置の間のデータの送受信をインターネットブラウザを用いて行ってもよい。このとき、ルールをＸＭＬフォーマットで表現することにより、インターネットブラウザとの親和性がよくなる。
【０１５３】
尚、上記実施の形態では、データの書き込み先として制御対象装置（電子レンジ）に内蔵された記憶媒体を用いる場合を説明したが、これに限らず例えば、制御対象装置に対して着脱自在のカードタイプの記憶媒体を用いても良い。このカードタイプの記憶媒体は、制御対象装置毎に設けられており、それぞれ対応する制御対象装置を示す識別情報が付されていることは言うまでもない。
【０１５４】
ところで、上述してきた各実施の形態に記載の各手段（又はステップ）の全部又は一部の手段（又はステップ）の機能をコンピュータに実行させるためのプログラムを記録した磁気記録媒体や光記録媒体などのプログラム記録媒体を製作し、それを利用して上記と同様の動作の全部又は一部をコンピュータに実行させる様にしても良い。
【０１５５】
尚、上記実施の形態では、データ送信手段とデータ受信手段を用いてデータの送受信を行う場合を中心に述べたが、これに限らず例えば、それぞれの手段をＤＴＭＦ送信手段とＤＴＭＦ受信手段に変更し、ＤＴＭＦ信号により情報の送受信を行ってもよい。
【０１５６】
なお、本実施の形態では、電子レンジ、オーブン等の調理機器に関して述べたが、炊飯器等のその他の調理機器や冷暖房用の空調機器や洗濯機や掃除機などの機器やテレビの画質調整等の機器によって制御内容の異なる制御機器ならば、どのような制御機器でもよい。
【０１５７】
なお、本実施の形態では、食材に応じて変更するルールの送受信に関して述べたが、時間や季節に応じて調理内容を変更するルールの送受信を用いてもよい。
【０１５８】
又、上記実施の形態では、情報を受信する装置はモデム等によりネットワークに接続された機器である場合を中心に説明したが、これに限らず例えば、放送等のメディアを用いてルール形式の情報を送信し、チューナーを用いてそのルール形式の情報を受信してもよい。
【０１５９】
なお、本実施の形態では、ＩＣカードのタイプに応じて処理内容を変更するルールの送受信に関して述べたが、時間や季節に応じて処理内容を変更するルールの送受信を用いてもよい。
【０１６０】
又、上記実施の形態では、データを送受信する機器において電話回線に接続されたモデムに関して述べたが、インターネット等の専用回線やＬＡＮによる回線を用いてもよい。
【０１６１】
又、上記実施の形態では、主にルール通信装置のシステムについて述べたが、これに限らず例えば、データ送信装置又はデータ受信装置の何れか一方を実現する構成でも良い。この場合、データ送信装置としては、例えば、受信側で制御対象となる複数種類の各制御対象装置毎に対応したそれぞれのルールを生成するルール生成手段と、前記ルール生成手段で生成されたルールをデータに変換して、その変換されたデータを複数のデータ受信装置に送信するデータ送信手段とを有するデータ送信装置であって、前記各データ受信装置は、前記送信手段により送信されてきたデータを受信するデータ受信手段と、前記データ受信手段で受信したデータをルールに変換するルール変換手段と、前記ルール変換手段で変換されたルールを記憶するルール記憶手段と、前記ルール記憶手段で記憶されている複数種類の前記ルールから、対応するルールを選び出し、その選んだルールに基づいて前記制御対象装置を制御する制御手段とを有する構成である。又、データ受信装置は、例えば、受信側で制御対象となる複数種類の各制御対象装置毎に対応したそれぞれのルールを生成するルール生成手段と、前記ルール生成手段で生成されたルールをデータに変換して、その変換されたデータを前記制御対象装置を有する複数の受信端末に送信するデータ送信手段とを有するデータ送信装置から送信されてきたデータを受信するデータ受信手段と、前記データ受信手段で受信したデータをルールに変換するルール変換手段と、前記ルール変換手段で変換されたルールを記憶するルール記憶手段と、前記ルール記憶手段で記憶されている複数種類の前記ルールから、所定のルールを選び出し、その選んだルールに基づいて、前記制御対象装置を制御する制御手段とを備え、前記所定のルールが、前記制御対象装置に対応して選ばれる構成である。更に、上記データ受信装置は、上記制御対象装置の所定の利用回数又は異常・故障についての情報を出力する出力手段を有しており、前記ルールは、前記情報を出力すべき条件を、前記データ受信装置又は前記制御対象装置に対応して設定したものであり、前記制御対象装置において前記条件が成立した場合に、前記出力手段から前記情報が出力される構成でもよい。更にまた、上記データ受信装置は、上記データ送信装置から接続要求があった際、前記データ送信装置から予め送られてきているパスワードの更新予定情報に基づいて、前記接続要求に付されているパスワードの正否を判定し、その判定結果に応じて、前記接続を許可するパスワード判定手段を備えている構成でもよい。これにより上記と同様の効果を発揮する。
【０１６２】
第１５の本発明のルール通信装置によれば、例えば調理する食材や対象に応じて機器の制御を変更することができる。さらに、変更する制御内容を遠隔地にいる送信者側で設定することができる。これにより、制御装置がある場所に行かなくても機器の制御内容を対象に応じて変更することができる。
【０１６３】
第３４の本発明のルール通信装置によれば、例えば調理する食材や対象に応じて機器の制御を変更することができる。さらに、変更する制御内容を遠隔地にいる送信者側で設定することができる。また、ＤＴＭＦ信号を利用しているため、一般に利用されているプッシュ回線の電話機から機器の制御の内容を変更することができる。これにより、制御装置がある場所に行かなくても機器の制御内容を対象に応じて変更することができる。
【０１６４】
第１８の本発明のルール通信装置によれば、例えばＩＣカード等の外部記憶媒体を用いて機器を制御する場合に、カードのタイプに応じてデータの書き込み内容を記述することができるため、ＩＣカード等の外部記憶媒体で機器を制御しなければいけないユーザでも、カードのタイプを意識することなく本装置が自動判別してデータを書き込ませることができる。
【０１６５】
第２０の本発明のルール通信装置によれば、例えば調理する食材や対象に応じて機器の制御を変更することができる。さらに、変更する制御内容を遠隔地にいる送信者側で設定することができる。これにより、制御装置がある場所に行かなくても機器の制御内容を対象に応じて変更することができる。さらに、複雑な制御動作に関しては、以前に送信した制御内容を利用することができるため、同じ制御内容を再度送信する必要がないため、データ送受信のコストを削減できる。
【０１６６】
第２２の本発明のルール通信装置によれば、例えば調理する食材や対象に応じて機器の制御を変更することができる。さらに、変更する制御内容を遠隔地にいる送信者側で設定することができる。これにより、制御装置がある場所に行かなくても機器の制御内容を対象に応じて変更することができる。さらに、受信側の機器に記憶されているルールの変更部分のみを送信側で修正することができる。これにより、間違った制御内容を送信した場合にも、送信側で簡単に修正することができる。
【０１６７】
第２４の本発明のルール通信装置によれば、例えば制御機器が設置されている場所に行かなくても、遠隔地において制御機器の利用内容を監視することができる。特に、制御機器に関する故障通報等に有効である。
【０１６８】
第２６の本発明のルール通信装置によれば、例えばＩＣカード等の外部記憶媒体を用いて機器を制御する場合に、カードのタイプに応じてデータの書き込み内容を記述することができるため、ＩＣカード等の外部記憶媒体で機器を制御しなければいけないユーザでも、カードのタイプを意識することなく本装置が自動判別してデータを書き込ませることができる。さらに、書き込み漏れが生じないように、チェックを促すことができる。
【０１６９】
第２８の本発明のルール通信装置によれば、例えばデータを送信する度にパスワードを動的に変更することができ、高いセキュリティを簡単にルールによって実現することができる。
【０１７０】
このように本発明では、例えば、情報発信側から状況に応じて処理内容を変更するように、あるいは、処理内容が受信端末側の状況に応じて選択出来る様に、ルール形式で情報を送信することにより、受信側環境や状況に応じて、処理内容を変更、あるいは、選択できるようにして、従来までの情報通信方式を拡張したものである。又、機器の制御情報に関しては、制御する機器や制御される対象や状況に応じて制御処理の内容を変更することが出来る。
【０１７１】
【発明の効果】
以上述べたことから明らかなように本発明は、情報受信端末側での受信情報の変更の負担を軽減することが出来るという長所を有する。
【図面の簡単な説明】
【図１】実施の形態１のルール通信装置のシステム構成を示すブロック図
【図２】実施の形態１のルール通信装置のハードウエア構成を示すブロック図
【図３】実施の形態１のルール通信装置の動作を説明するフローチャート
【図４】ルール通信装置で作成された制御ルールを説明する図
【図５】ルール通信装置で通信されるテキスト形式の内容を示す図
【図６】実施の形態２のルール通信装置のシステム構成を示すブロック図
【図７】実施の形態２のルール通信装置のハードウエア構成を示すブロック図
【図８】実施の形態２のルール通信装置の動作を説明するフローチャート
【図９】ルールの内容とＤＴＭＦ信号との対応表を示した図
【図１０】送信されるＤＴＭＦ信号を表した図
【図１１】実施の形態３のルール通信装置のシステム構成を示すブロック図
【図１２】実施の形態３のルール通信装置のハードウエア構成を示すブロック図
【図１３】実施の形態３のルール通信装置の動作を説明するフローチャート
【図１４】ＩＣカードに書き込まれる内容を示した図
【図１５】実施の形態４のルール通信装置のシステム構成を示すブロック図
【図１６】実施の形態４のルール通信装置のハードウエア構成を示すブロック図
【図１７】実施の形態４のルール通信装置の動作を説明するフローチャート
【図１８】ルールと実行内容を示した図
【図１９】実施の形態５のルール通信装置のシステム構成を示すブロック図
【図２０】実施の形態５のルール通信装置のハードウエア構成を示すブロック図
【図２１】実施の形態５のルール通信装置の動作を説明するフローチャート
【図２２】ルールの修正内容を示した図
【図２３】修正されたルールを示した図
【図２４】実施の形態６のルール通信装置のシステム構成を示すブロック図
【図２５】実施の形態６のルール通信装置のハードウエア構成を示すブロック図
【図２６】実施の形態６のルール通信装置の動作を説明するフローチャート
【図２７】制御内容に関するルールを示した図
【図２８】実施の形態７のルール通信装置のシステム構成を示すブロック図
【図２９】実施の形態７のルール通信装置のハードウエア構成を示すブロック図
【図３０】実施の形態７のルール通信装置の動作を説明するフローチャート
【図３１】本実施の形態のディスプレイ表示例を示した図
【図３２】実施の形態８のルール通信装置のシステム構成を示すブロック図
【図３３】実施の形態８のルール通信装置のハードウエア構成を示すブロック図
【図３４】実施の形態８のルール通信装置の動作を説明するフローチャート
【図３５】本実施の形態における、ルールで表現された次回パスワードを示した図
【図３６】実施の形態９のルール通信装置のシステム構成を示すブロック図
【図３７】実施の形態９のルール通信装置のハードウエア構成を示すブロック図
【図３８】実施の形態９のルール通信装置の動作を説明するフローチャート
【図３９】本実施の形態のルール通信装置で作成された制御ルールを説明する図
【図４０】実施の形態１０のルール通信装置のシステム構成を示すブロック図
【図４１】実施の形態１０のルール通信装置のハードウエア構成を示すブロック図
【図４２】実施の形態１０のルール通信装置の動作を説明するフローチャート
【図４３】本実施の形態のディスプレイ表示例を示した図
【図４４】実施の形態１１のルール通信装置のシステム構成を示すブロック図
【図４５】実施の形態１１のルール通信装置のハードウエア構成を示すブロック図
【図４６】実施の形態１１のルール通信装置の動作を説明するフローチャート
【図４７】本実施の形態のルール通信装置で作成された制御ルールを説明する図
【図４８】実施の形態１２のルール通信装置のシステム構成を示すブロック図
【図４９】実施の形態１２のルール通信装置のハードウエア構成を示すブロック図
【図５０】実施の形態１２のルール通信装置の動作を説明するフローチャート
【図５１】実施の形態１３のルール通信装置のシステム構成を示すブロック図
【図５２】実施の形態１３のルール通信装置のハードウエア構成を示すブロック図
【図５３】実施の形態１３のルール通信装置の動作を説明するフローチャート
【図５４】本実施の形態のルール通信装置で作成された制御ルールを説明する図
【図５５】実施の形態１４のルール通信装置のシステム構成を示すブロック図
【図５６】実施の形態１４のルール通信装置のハードウエア構成を示すブロック図
【図５７】実施の形態１４のルール通信装置の動作を説明するフローチャート
【図５８】実施の形態１５のルール通信装置のシステム構成を示すブロック図
【図５９】実施の形態１５のルール通信装置のハードウエア構成を示すブロック図
【図６０】実施の形態１５のルール通信装置の動作を説明するフローチャート
【符号の説明】
１０１、６０１、１１０１、１５０１、２４０１、２８０１…ルール生成手段
１５０２…実行内容生成手段
１０２、１１０２、１５０３、１９０２、２４０２、２８０２、３２０２…データ送信手段
１０３、１１０３、１５０４、１９０３、２４０３、２８０３、３２０３…データ受信手段
１０４、６０４、１１０４、２４０４、２８０４…ルール変換手段
１０５、６０５、１１０５、１５０６、１９０７、２４０５、２８０５…ルール記憶手段
１０６、６０６、１５０８、２４０６…制御手段
６０２…ＤＴＭＦ送信手段
６０３…ＤＴＭＦ受信手段
１１０６、２８０６…データ書き込み手段
１１０７、２８０７…データ記憶手段
１５０５…ルール・実行内容変換手段
１５０７…実行内容記憶手段
１９０１…ルール編集内容生成手段
１９０４…ルール編集内容変換手段
１９０５…編集内容記憶手段
１９０６…ルール編集手段
２４０７…制御内容記憶手段
２４０８…ルール実行手段
２８０９…制御動作実行手段
２８０８…データ書き込み内容記憶手段
３２０１…次回パスワード入力手段
３２０４…次回パスワード解釈手段
３２０５…次回パスワード記憶手段
２０１、７０１、１２０１、１６０１、２００１、２５０１、２９０１、３３０１…主記憶装置
２０２、７０２、１２０２、１６０２、２００２、２５０２、２９０２、３３０２…外部記憶装置
２０３、７０３、１２０３、１６０３、２００３、２５０３、２９０３、３３０３…ＣＰＵ
２０４、７０４、１２０４、１６０４、２００４、２５０４、２９０４、３３０４…モデム
２０５、７０５、１２０５、１６０５、２５０５、２９０５…制御装置
【図１】
0003545256.tif 000002
【図２】
0003545256.tif 000003
【図３】
0003545256.tif 000004
【図４】
0003545256.tif 000005
【図５】
0003545256.tif 000006
【図６】
0003545256.tif 000007
【図７】
0003545256.tif 000008
【図８】
0003545256.tif 000009
【図９】
0003545256.tif 000010
【図１０】
0003545256.tif 000011
【図１１】
0003545256.tif 000012
【図１２】
0003545256.tif 000013
【図１３】
0003545256.tif 000014
【図１４】
0003545256.tif 000015
【図１５】
0003545256.tif 000016
【図１６】
0003545256.tif 000017
【図１７】
0003545256.tif 000018
【図１８】
0003545256.tif 000019
【図１９】
0003545256.tif 000020
【図２０】
0003545256.tif 000021
【図２１】
0003545256.tif 000022
【図２２】
0003545256.tif 000023
【図２３】
0003545256.tif 000024
【図２４】
0003545256.tif 000025
【図２５】
0003545256.tif 000026
【図２６】
0003545256.tif 000027
【図２７】
0003545256.tif 000028
【図２８】
0003545256.tif 000029
【図２９】
0003545256.tif 000030
【図３０】
0003545256.tif 000031
【図３１】
0003545256.tif 000032
【図３２】
0003545256.tif 000033
【図３３】
0003545256.tif 000034
【図３４】
0003545256.tif 000035
【図３５】
0003545256.tif 000036
【図３６】
0003545256.tif 000037
【図３７】
0003545256.tif 000038
【図３８】
0003545256.tif 000039
【図３９】
0003545256.tif 000040
【図４０】
0003545256.tif 000041
【図４１】
0003545256.tif 000042
【図４２】
0003545256.tif 000043
【図４３】
0003545256.tif 000044
【図４４】
0003545256.tif 000045
【図４５】
0003545256.tif 000046
【図４６】
0003545256.tif 000047
【図４７】
0003545256.tif 000048
【図４８】
0003545256.tif 000049
【図４９】
0003545256.tif 000050
【図５０】
0003545256.tif 000051
【図５１】
0003545256.tif 000052
【図５２】
0003545256.tif 000053
【図５３】
0003545256.tif 000054
【図５４】
0003545256.tif 000055
【図５５】
0003545256.tif 000056
【図５６】
0003545256.tif 000057
【図５７】
0003545256.tif 000058
【図５８】
0003545256.tif 000059
【図５９】
0003545256.tif 000060
【図６０】
0003545256.tif 000061